(57)【要約】【課題】一台のフレーマに接続される複数の送信機が１光チャネルの帯域において複数のパラレル信号をマルチキャリア伝送する場合に、一台のフレーマにより生成された複数のパラレル信号を他のフレーマに接続される送信機をさらに使用して送信する。【解決手段】送信側の光伝送装置５０は、１つのＯＴＮフレーマ５４１が受信したクライアント信号に基づいて生成された複数のパラレル信号を、複数のＯＴＮフレーマ５４１の光ＳＣ送受信機５４２により複数の光チャネルを用いてマルチキャリア伝送する。受信側の光伝送装置５０は、異なる光チャネルによりマルチキャリア伝送されたパラレル信号に対して光チャネル間の伝送遅延差を補償し、遅延が補償されたパラレル信号からクライアント信号を取得する。【選択図】図５
2016103766.tif 000002
【特許請求の範囲】
【請求項１】
送信側の光伝送装置及び受信側の光伝送装置を有する光通信システムであって、
前記送信側の光伝送装置は、
第一光チャネルの光信号を送信する第一光信号送信部と、
第二光チャネルの光信号を送信する第二光信号送信部とを備え、
前記第一光信号送信部は、
受信した１以上のクライアント信号の一部を前記第二光信号送信部に出力し、受信した前記クライアント信号から前記第二光信号送信部に出力した前記クライアント信号を除いた前記クライアント信号に基づいてパラレル信号を生成する第一信号生成部と、
前記第一信号生成部が生成した前記パラレル信号を、第一光チャネルの光サブキャリアによりマルチキャリア伝送する複数の第一光サブキャリア送信部とを備え、
前記第二光信号送信部は、
前記第一信号生成部から出力された前記クライアント信号を含む１以上のクライアント信号を受信し、受信した前記クライアント信号に基づいてパラレル信号を生成する第二信号生成部と、
前記第二信号生成部が生成した前記パラレル信号を、第二光チャネルの光サブキャリアによりマルチキャリア伝送する複数の第二光サブキャリア送信部とを備え、
前記受信側の光伝送装置は、
第一光チャネルの光信号を受信する第一光信号受信部と、
第二光チャネルの光信号を受信する第二光信号受信部と、
前記第一光信号受信部が受信した第一光チャネルの光信号と前記第二光信号受信部が受信した第二光チャネルの光信号との間の伝送遅延差を取得し、取得した前記伝送遅延差に基づいて算出した遅延調整量により前記第一光チャネルと前記第二光チャネルとの間の伝送遅延差を補償する光チャネル間遅延補償部とを備え、
前記第一光信号受信部は、
前記第一光チャネルによりマルチキャリア伝送された前記パラレル信号を受信する第一光サブキャリア受信装置と、
前記第一光サブキャリア受信装置が受信した前記パラレル信号と、前記第二光信号受信部から出力された前記パラレル信号とから前記クライアント信号を取得する第一受信処理部とを備え、
前記第二光信号受信部は、
前記第二光チャネルによりマルチキャリア伝送された前記パラレル信号を受信する第二光サブキャリア受信装置と、
前記第二光サブキャリア受信装置が受信した前記パラレル信号のうち、前記第一信号生成部から出力された前記クライアント信号に基づいて生成された前記パラレル信号を前記第一光信号受信部に出力する第二受信処理部とを備える、
ことを特徴とする光通信システム。
【請求項２】
前記第一信号生成部は、生成した前記パラレル信号を、障害が発生していない前記光サブキャリアを使用する前記第一光サブキャリア送信部に出力する、
ことを特徴とする請求項１に記載の光通信システム。
【請求項３】
前記第一信号生成部は、
前記第一光サブキャリア送信部が使用する光サブキャリアに障害が発生した場合、受信した前記クライアント信号から前記第二光信号送信部に出力した前記クライアント信号を除いた前記クライアント信号を信号フレーム内のタイムスロットのうち、障害が発生していない光サブキャリアに対応した前記タイムスロットに設定する第一多重処理部と、
前記第一多重処理部により前記クライアント信号が設定された前記信号フレームを分割して複数のパラレル信号を生成し、障害が発生していない前記光サブキャリアを使用する前記第一光サブキャリア送信部に出力する第一パラレル信号生成部とを備え、
前記第二信号生成部は、
前記第一信号生成部から出力された前記クライアント信号を、信号フレーム内のタイムスロットのうち、障害が発生した前記光サブキャリアの切替先の光サブキャリアに対応した前記タイムスロットに設定する第二多重処理部と、
前記第二多重処理部により前記クライアント信号が設定された前記信号フレームを分割して複数のパラレル信号を生成し、前記クライアント信号が設定された前記パラレル信号を切替先の前記光サブキャリアを使用する前記第二光サブキャリア送信部に出力する第二パラレル信号生成部とを備える、
ことを特徴とする請求項２に記載の光通信システム。
【請求項４】
前記信号フレーム内の前記タイムスロットにはクライアントのパスが割当てられており、
前記第一多重処理部は、前記信号フレームにおいて障害が発生した前記光サブキャリアに対応した前記タイムスロットにパスが割当てられている前記クライアントのクライアント信号を前記第二光信号送信部に出力する、
ことを特徴とする請求項３に記載の光通信システム。
【請求項５】
前記第一多重処理部及び前記第二多重処理部は、前記信号フレームにおいて障害が発生した前記光サブキャリアに対応した前記タイムスロットに割当てられている前記クライアントのパスの割当先を、前記第二信号生成部が使用する前記信号フレーム内の切替先の前記光サブキャリアに対応した前記タイムスロットに変更する、
ことを特徴とする請求項４に記載の光通信システム。
【請求項６】
送信側の光伝送装置及び受信側の光伝送装置を有する光通信システムにおける前記送信側の光伝送装置であって、
第一光チャネルの光信号を送信する第一光信号送信部と、
第二光チャネルの光信号を送信する第二光信号送信部とを備え、
前記第一光信号送信部は、
受信した１以上のクライアント信号の一部を前記第二光信号送信部に出力し、受信した前記クライアント信号から前記第二光信号送信部に出力した前記クライアント信号を除いた前記クライアント信号に基づいてパラレル信号を生成する第一信号生成部と、
前記第一信号生成部が生成した前記パラレル信号を、第一光チャネルの光サブキャリアによりマルチキャリア伝送する複数の第一光サブキャリア送信部とを備え、
前記第二光信号送信部は、
前記第一信号生成部から出力された前記クライアント信号を含む１以上のクライアント信号を受信し、受信した前記クライアント信号に基づいてパラレル信号を生成する第二信号生成部と、
前記第二信号生成部が生成した前記パラレル信号を、第二光チャネルの光サブキャリアによりマルチキャリア伝送する複数の第二光サブキャリア送信部とを備える、
ことを特徴とする光伝送装置。
【請求項７】
送信側の光伝送装置及び受信側の光伝送装置を有する光通信システムにおける前記受信側の光伝送装置であって、
第一光チャネルの光信号を受信する第一光信号受信部と、
第二光チャネルの光信号を受信する第二光信号受信部と、
前記第一光信号受信部が受信した第一光チャネルの光信号と前記第二光信号受信部が受信した第二光チャネルの光信号との間の伝送遅延差を取得し、取得した前記伝送遅延差に基づいて算出した遅延調整量により前記第一光チャネルと前記第二光チャネルとの間の伝送遅延差を補償する光チャネル間遅延補償部とを備え、
前記第一光信号受信部は、
送信側の前記光伝送装置が備える第一光信号送信部から前記第一光チャネルによりマルチキャリア伝送されたパラレル信号を受信する第一光サブキャリア受信装置と、
前記第一光サブキャリア受信装置が受信した前記パラレル信号と、前記第二光信号受信部から出力された前記パラレル信号とからクライアント信号を取得する第一受信処理部とを備え、
前記第二光信号受信部は、
送信側の前記光伝送装置が備える第二光信号送信部から前記第二光チャネルによりマルチキャリア伝送されたパラレル信号を受信する第二光サブキャリア受信装置と、
前記第二光サブキャリア受信装置が受信した前記パラレル信号のうち、前記第一光信号送信部が前記第二光信号送信部に出力したクライアント信号に基づいて生成された前記パラレル信号を前記第一光信号受信部に出力する第二受信処理部とを備える、
ことを特徴とする光伝送装置。
【請求項８】
送信側の光伝送装置及び受信側の光伝送装置を有する光通信システムが実行する光信号伝送方法であって、
前記送信側の光伝送装置において、
第一光信号送信部の第一信号生成部が、受信した１以上のクライアント信号の一部を出力し、受信した前記クライアント信号から出力した前記クライアント信号を除いた前記クライアント信号に基づいてパラレル信号を生成する第一信号生成ステップと、
前記第一光信号送信部の複数の第一光サブキャリア送信部が、前記第一信号生成ステップにおいて生成された前記パラレル信号を、第一光チャネルの光サブキャリアによりマルチキャリア伝送する第一光信号送信ステップと、
第二光信号送信部の第二信号生成部が、前記第一信号生成ステップにおいて出力された前記クライアント信号を含む１以上のクライアント信号を受信し、受信した前記クライアント信号に基づいてパラレル信号を生成する第二信号生成ステップと、
前記第二光信号送信部の複数の第二光サブキャリア送信部が、前記第二信号生成ステップにおいて生成された前記パラレル信号を、第二光チャネルの光サブキャリアによりマルチキャリア伝送する第二光信号送信ステップと、
前記受信側の光伝送装置において、
第一光信号受信部の複数の第一光サブキャリア受信装置が、前記第一光チャネルによりマルチキャリア伝送された前記パラレル信号を受信する第一光信号受信ステップと、
第二光信号受信部の複数の第二光サブキャリア受信装置が、前記第二光チャネルによりマルチキャリア伝送された前記パラレル信号を受信する第二光信号受信ステップと、
光チャネル間遅延補償部が、前記第一光チャネルの光信号と前記第二光チャネルの光信号との間の伝送遅延差を取得し、取得した前記伝送遅延差に基づいて算出した遅延調整量により、前記第一光信号受信ステップにおいて受信された前記パラレル信号と、前記第二光信号受信ステップにおいて受信された前記パラレル信号とに対し、前記第一光チャネルと前記第二光チャネルとの間の伝送遅延差を補償する光チャネル間遅延補償ステップと、
前記第二光信号受信部の第二受信処理部が、前記第二光信号受信ステップにおいて受信された前記パラレル信号のうち、前記第一信号生成ステップにおいて出力された前記クライアント信号に基づいて生成された前記パラレル信号を第一光信号受信部に出力する第一受信処理ステップと、
前記第一光信号受信部の第一受信処理部が、前記第一光信号受信ステップにおいて受信され、前記光チャネル間遅延補償ステップにおいて伝送遅延差が補償された前記パラレル信号と、前記光チャネル間遅延補償ステップにおいて伝送遅延差が補償され、前記第一受信処理ステップにおいて出力された前記パラレル信号とから前記クライアント信号を取得する第二信号受信処理ステップと、
を有することを特徴とする光信号伝送方法。
【発明の詳細な説明】
【技術分野】
【０００１】
本発明は、光通信システム、光伝送装置、及び光信号伝送方法に関する。
【背景技術】
【０００２】
大容量の広域光転送網であるＯＴＮ（Optical Transport Network）では、ＳＤＨ（Synchronous Digital Hierarchy）やイーサネット（登録商標）などの様々なクライアント信号を収容して転送する。近年では、クライアント信号のトラヒックの増加が顕著であり、それに伴いＯＴＮも高速化に対応するよう標準化が進められてきた（例えば、非特許文献１参照）。そして現在では、１００Ｇ超（Ｂ１００Ｇ、Ｇはギガビット毎秒）のＯＴＮ技術であるＯＴＵＣｎ（Ｃｎは１００Ｇ×ｎを表す。）が検討されている（例えば、非特許文献２参照）。ＯＴＵＣｎでは、１光チャネルの伝送容量が従来のＯＴＵよりも広帯域となる。しかし、光信号の送受信機に用いられる電子回路の動作速度の関係から、これまでのように１光チャネルの帯域においてシングルキャリア伝送を拡張して大容量化を図ることは困難である。そこで、ＯＴＵＣｎでは、１光チャネルの帯域において複数の光サブキャリアを用いたマルチキャリア伝送によって大容量化を実現する。
【先行技術文献】
【非特許文献】
【０００３】
【非特許文献１】"Interfaces for the optical transport network", ITU-T G.709/Y.1331, February 2012.
【非特許文献２】大原  拓也，「ＯＴＮインタフェース技術および標準化動向」，２０１４  電子情報通信学会総合大会  通信講演論文集２，ＢＩ−５−１，ＳＳ−４７−ＳＳ−４８，２０１４年３月
【発明の概要】
【発明が解決しようとする課題】
【０００４】
送信側の光伝送装置においてＯＴＵＣｎのフレーマは、ペイロード容量がｎ×１００ＧのＯＴＵＣｎ（Optical channel Transport Unit-Cn）の電気信号をインタリーブし、ペイロード容量が１００Ｇのパラレル信号であるＯＴＬＣｎ．ｎ（Optical channel Transport Lane-Cn.n）をｎ個生成する。一台のフレーマが生成したｎ個のパラレル信号は、そのフレーマに接続される複数の送信機により、１光チャネルの帯域において複数の光サブキャリアによりマルチキャリア伝送される。一台のフレーマが生成した複数のパラレル信号を、他のフレーマが備える送信機をさらに用いて送信できれば、フレーマに接続される送信機の数に柔軟性を持たせたり、故障が発生した送信機の代わりに他のフレーマに接続される送信機を用いたりすることができる。
【０００５】
上記事情に鑑み、本発明は、一台のフレーマに接続される複数の送信機が１光チャネルの帯域において複数のパラレル信号をマルチキャリア伝送する場合に、一台のフレーマにより生成された複数のパラレル信号を他のフレーマに接続される送信機をさらに使用して送信することができる光通信システム、光伝送装置、及び光信号伝送方法を提供することを目的としている。
【課題を解決するための手段】
【０００６】
本発明の一態様は、送信側の光伝送装置及び受信側の光伝送装置を有する光通信システムであって、前記送信側の光伝送装置は、第一光チャネルの光信号を送信する第一光信号送信部と、第二光チャネルの光信号を送信する第二光信号送信部とを備え、前記第一光信号送信部は、受信した１以上のクライアント信号の一部を前記第二光信号送信部に出力し、受信した前記クライアント信号から前記第二光信号送信部に出力した前記クライアント信号を除いた前記クライアント信号に基づいてパラレル信号を生成する第一信号生成部と、前記第一信号生成部が生成した前記パラレル信号を、第一光チャネルの光サブキャリアによりマルチキャリア伝送する複数の第一光サブキャリア送信部とを備え、前記第二光信号送信部は、前記第一信号生成部から出力された前記クライアント信号を含む１以上のクライアント信号を受信し、受信した前記クライアント信号に基づいてパラレル信号を生成する第二信号生成部と、前記第二信号生成部が生成した前記パラレル信号を、第二光チャネルの光サブキャリアによりマルチキャリア伝送する複数の第二光サブキャリア送信部とを備え、前記受信側の光伝送装置は、第一光チャネルの光信号を受信する第一光信号受信部と、第二光チャネルの光信号を受信する第二光信号受信部と、前記第一光信号受信部が受信した第一光チャネルの光信号と前記第二光信号受信部が受信した第二光チャネルの光信号との間の伝送遅延差を取得し、取得した前記伝送遅延差に基づいて算出した遅延調整量により前記第一光チャネルと前記第二光チャネルとの間の伝送遅延差を補償する光チャネル間遅延補償部とを備え、前記第一光信号受信部は、前記第一光チャネルによりマルチキャリア伝送された前記パラレル信号を受信する第一光サブキャリア受信装置と、前記第一光サブキャリア受信装置が受信した前記パラレル信号と、前記第二光信号受信部から出力された前記パラレル信号とから前記クライアント信号を取得する第一受信処理部とを備え、前記第二光信号受信部は、前記第二光チャネルによりマルチキャリア伝送された前記パラレル信号を受信する第二光サブキャリア受信装置と、前記第二光サブキャリア受信装置が受信した前記パラレル信号のうち、前記第一信号生成部から出力された前記クライアント信号に基づいて生成された前記パラレル信号を前記第一光信号受信部に出力する第二受信処理部とを備える、ことを特徴とする光通信システムである。
【０００７】
本発明の一態様は、上述した光通信システムであって、前記第一信号生成部は、生成した前記パラレル信号を、障害が発生していない前記光サブキャリアを使用する前記第一光サブキャリア送信部に出力する、ことを特徴とする。
【０００８】
本発明の一態様は、上述した光通信システムであって、前記第一信号生成部は、前記第一光サブキャリア送信部が使用する光サブキャリアに障害が発生した場合、受信した前記クライアント信号から前記第二光信号送信部に出力した前記クライアント信号を除いた前記クライアント信号を信号フレーム内のタイムスロットのうち、障害が発生していない光サブキャリアに対応した前記タイムスロットに設定する第一多重処理部と、前記第一多重処理部により前記クライアント信号が設定された前記信号フレームを分割して複数のパラレル信号を生成し、障害が発生していない前記光サブキャリアを使用する前記第一光サブキャリア送信部に出力する第一パラレル信号生成部とを備え、前記第二信号生成部は、前記第一信号生成部から出力された前記クライアント信号を、信号フレーム内のタイムスロットのうち、障害が発生した前記光サブキャリアの切替先の光サブキャリアに対応した前記タイムスロットに設定する第二多重処理部と、前記第二多重処理部により前記クライアント信号が設定された前記信号フレームを分割して複数のパラレル信号を生成し、前記クライアント信号が設定された前記パラレル信号を切替先の前記光サブキャリアを使用する前記第二光サブキャリア送信部に出力する第二パラレル信号生成部とを備える、ことを特徴とする。
【０００９】
本発明の一態様は、上述した光通信システムであって、前記信号フレーム内の前記タイムスロットにはクライアントのパスが割当てられており、前記第一多重処理部は、前記信号フレームにおいて障害が発生した前記光サブキャリアに対応した前記タイムスロットにパスが割当てられている前記クライアントのクライアント信号を前記第二光信号送信部に出力する、ことを特徴とする。
【００１０】
本発明の一態様は、上述した光通信システムであって、前記第一多重処理部及び前記第二多重処理部は、前記信号フレームにおいて障害が発生した前記光サブキャリアに対応した前記タイムスロットに割当てられている前記クライアントのパスの割当先を、前記第二信号生成部が使用する前記信号フレーム内の切替先の前記光サブキャリアに対応した前記タイムスロットに変更する、ことを特徴とする。
【００１１】
本発明の一態様は、送信側の光伝送装置及び受信側の光伝送装置を有する光通信システムにおける前記送信側の光伝送装置であって、第一光チャネルの光信号を送信する第一光信号送信部と、第二光チャネルの光信号を送信する第二光信号送信部とを備え、前記第一光信号送信部は、受信した１以上のクライアント信号の一部を前記第二光信号送信部に出力し、受信した前記クライアント信号から前記第二光信号送信部に出力した前記クライアント信号を除いた前記クライアント信号に基づいてパラレル信号を生成する第一信号生成部と、前記第一信号生成部が生成した前記パラレル信号を、第一光チャネルの光サブキャリアによりマルチキャリア伝送する複数の第一光サブキャリア送信部とを備え、前記第二光信号送信部は、前記第一信号生成部から出力された前記クライアント信号を含む１以上のクライアント信号を受信し、受信した前記クライアント信号に基づいてパラレル信号を生成する第二信号生成部と、前記第二信号生成部が生成した前記パラレル信号を、第二光チャネルの光サブキャリアによりマルチキャリア伝送する複数の第二光サブキャリア送信部とを備える、ことを特徴とする光伝送装置である。
【００１２】
本発明の一態様は、送信側の光伝送装置及び受信側の光伝送装置を有する光通信システムにおける前記受信側の光伝送装置であって、第一光チャネルの光信号を受信する第一光信号受信部と、第二光チャネルの光信号を受信する第二光信号受信部と、前記第一光信号受信部が受信した第一光チャネルの光信号と前記第二光信号受信部が受信した第二光チャネルの光信号との間の伝送遅延差を取得し、取得した前記伝送遅延差に基づいて算出した遅延調整量により前記第一光チャネルと前記第二光チャネルとの間の伝送遅延差を補償する光チャネル間遅延補償部とを備え、前記第一光信号受信部は、送信側の前記光伝送装置が備える第一光信号送信部から前記第一光チャネルによりマルチキャリア伝送されたパラレル信号を受信する第一光サブキャリア受信装置と、前記第一光サブキャリア受信装置が受信した前記パラレル信号と、前記第二光信号受信部から出力された前記パラレル信号とからクライアント信号を取得する第一受信処理部とを備え、前記第二光信号受信部は、送信側の前記光伝送装置が備える第二光信号送信部から前記第二光チャネルによりマルチキャリア伝送されたパラレル信号を受信する第二光サブキャリア受信装置と、前記第二光サブキャリア受信装置が受信した前記パラレル信号のうち、前記第一光信号送信部が前記第二光信号送信部に出力したクライアント信号に基づいて生成された前記パラレル信号を前記第一光信号受信部に出力する第二受信処理部とを備える、ことを特徴とする光伝送装置である。
【００１３】
本発明の一態様は、送信側の光伝送装置及び受信側の光伝送装置を有する光通信システムが実行する光信号伝送方法であって、前記送信側の光伝送装置において、第一光信号送信部の第一信号生成部が、受信した１以上のクライアント信号の一部を出力し、受信した前記クライアント信号から出力した前記クライアント信号を除いた前記クライアント信号に基づいてパラレル信号を生成する第一信号生成ステップと、前記第一光信号送信部の複数の第一光サブキャリア送信部が、前記第一信号生成ステップにおいて生成された前記パラレル信号を、第一光チャネルの光サブキャリアによりマルチキャリア伝送する第一光信号送信ステップと、第二光信号送信部の第二信号生成部が、前記第一信号生成ステップにおいて出力された前記クライアント信号を含む１以上のクライアント信号を受信し、受信した前記クライアント信号に基づいてパラレル信号を生成する第二信号生成ステップと、前記第二光信号送信部の複数の第二光サブキャリア送信部が、前記第二信号生成ステップにおいて生成された前記パラレル信号を、第二光チャネルの光サブキャリアによりマルチキャリア伝送する第二光信号送信ステップと、前記受信側の光伝送装置において、第一光信号受信部の複数の第一光サブキャリア受信装置が、前記第一光チャネルによりマルチキャリア伝送された前記パラレル信号を受信する第一光信号受信ステップと、第二光信号受信部の複数の第二光サブキャリア受信装置が、前記第二光チャネルによりマルチキャリア伝送された前記パラレル信号を受信する第二光信号受信ステップと、光チャネル間遅延補償部が、前記第一光チャネルの光信号と前記第二光チャネルの光信号との間の伝送遅延差を取得し、取得した前記伝送遅延差に基づいて算出した遅延調整量により、前記第一光信号受信ステップにおいて受信された前記パラレル信号と、前記第二光信号受信ステップにおいて受信された前記パラレル信号とに対し、前記第一光チャネルと前記第二光チャネルとの間の伝送遅延差を補償する光チャネル間遅延補償ステップと、前記第二光信号受信部の第二受信処理部が、前記第二光信号受信ステップにおいて受信された前記パラレル信号のうち、前記第一信号生成ステップにおいて出力された前記クライアント信号に基づいて生成された前記パラレル信号を第一光信号受信部に出力する第一受信処理ステップと、前記第一光信号受信部の第一受信処理部が、前記第一光信号受信ステップにおいて受信され、前記光チャネル間遅延補償ステップにおいて伝送遅延差が補償された前記パラレル信号と、前記光チャネル間遅延補償ステップにおいて伝送遅延差が補償され、前記第一受信処理ステップにおいて出力された前記パラレル信号とから前記クライアント信号を取得する第二信号受信処理ステップと、を有することを特徴とする光信号伝送方法である。
【発明の効果】
【００１４】
本発明により、一台のフレーマに接続される複数の送信機が１光チャネルの帯域において複数のパラレル信号をマルチキャリア伝送する場合に、一台のフレーマにより生成された複数のパラレル信号を他のフレーマに接続される送信機をさらに使用して送信することができる。
【図面の簡単な説明】
【００１５】
【図１】本発明の実施形態を適用可能なフレーマの機能ブロック図である。
【図２】ＯＴＵＣｎのフレーム構造を示す図である。
【図３】ＯＴＬＣｎ．ｎのフレーム構造を示す図である。
【図４】光信号の伝送に用いられる光チャネルを示す図である。
【図５】本発明の一実施形態による光伝送装置の構成例を示す図である。
【図６】各種デスキューの遅延調整量の比較を示す図である。
【図７】通常運用状態の送信側の光伝送装置におけるＯＤＵＣｎフレームへのパスのマッピングの例を示す図である。
【図８】光サブキャリア障害時の送信側の光伝送装置におけるＯＤＵＣｎフレームへのパスのマッピングの例を示す図である。
【図９】図８に示すマッピングの結果送信されたパラレル信号の受信側の光伝送装置における受信処理を示す図である。
【図１０】複数光サブキャリア障害時の送信側の光伝送装置におけるＯＤＵＣｎフレームへのパスのマッピングの例を示す図である。
【図１１】図１０に示すマッピングの結果送信されたパラレル信号の受信側の光伝送装置における受信処理を示す図である。
【図１２】複数のパラレル信号を１光サブキャリアで送信する場合の通常運用状態の受信側の光伝送装置におけるＯＤＵＣｎフレームへのパスのマッピングの例を示す図である。
【図１３】複数のパラレル信号を１光サブキャリアで送信する場合の光サブキャリア障害時の送信側の光伝送装置におけるＯＤＵＣｎフレームへのパスのマッピングの例を示す図である。
【図１４】図１３に示すマッピングの結果送信されたパラレル信号の受信側の光伝送装置における受信処理を示す図である。
【図１５】ＮＮＩカードの送信に関する構成を示す機能ブロック図である。
【図１６】ＮＮＩカードの受信に関する構成を示す機能ブロック図である。
【図１７】トランスポンダの送信に関する構成を示す機能ブロック図である。
【図１８】トランスポンダの受信に関する構成を示す機能ブロック図である。
【図１９】光サブキャリア障害時の送信側の光伝送装置の処理フローである。
【図２０】光サブキャリア障害時の受信側の光伝送装置の処理フローである。
【図２１】送信側の光伝送装置におけるＯＤＵＣｎフレームへのパスのマッピングの他の例を示す図である。
【図２２】図２１に示すマッピングの結果送信されたパラレル信号の受信側の光伝送装置における受信処理を示す図である。
【発明を実施するための形態】
【００１６】
以下、図面を参照して本発明の実施形態を説明する。
図１は、本発明の実施形態を適用可能なＯＴＮフレーマ８００の機能ブロック図である。同図に示すＯＴＮフレーマ８００は、１００Ｇ超（Ｂ１００Ｇ、Ｇはギガビット毎秒）の伝送を行うためのＯＴＮ（Optical Transport Network）の規格であるＯＴＵＣｎ（Ｃｎは１００Ｇ×ｎを表す。ｎは２以上の整数。）により通信を行う。同図においては、ｎ＝４の場合、すなわち、ＯＴＮフレーマ８００がＯＴＵＣ４により通信を行う場合の例を示している。
【００１７】
ＯＴＮトランスポート技術では、様々な通信方式のクライアント信号を収容し、光伝送により転送する。ＯＴＮでは、固定フレーム構造を利用し、ＧｂＥ（ギガビット・イーサネット（登録商標））を収容できる最小単位のＯＤＵ０（ＯＤＵ：Optical Channel Data Unit）により、１．２５ＧのＴＳ（Tributary Slot、タイムスロットともいう。）単位で（すなわち、その倍数により）クライアント信号を扱う。ＯＴＮは、ＳＤＨ（Synchronous Digital Hierarchy）と同様のパス管理、ＯＡＭ（Operations, Administration, Maintenance）機能、プロテクション機能を提供する。
【００１８】
ＯＴＮフレーマ８００は、複数のクライアント信号が多重されたｎ×１００Ｇの１光チャネルの信号を分離し、ｎ個の１００Ｇのパラレル信号を生成する。これらのｎ個のパラレル信号は複数の光サブキャリアによりマルチキャリア伝送されるが、物理的には、１つのパラレル信号が１つの光サブキャリアにより伝送されてもよく、複数のパラレル信号が１つの光サブキャリアにより伝送されてもよい。マルチキャリア伝送とは、１チャネルの信号を複数のサブキャリア（搬送波）を使ってパラレル伝送することにより、１チャネルを大容量化する通信方式である。マルチキャリア伝送では、対地（接続先）ごとにサブキャリアを高密度多重し、電気的に分離する。１つのパラレル信号が１つの光サブキャリアにより伝送される場合、その光サブキャリアの帯域は１００Ｇであり、２つのパラレル信号が１つの光サブキャリアにより伝送される場合、その光サブキャリアの帯域は２００Ｇである。光伝送には、４ＳＣ−ＤＰ−ＱＰＳＫ（4 Subcarrier-Dual Polarization-Quadrature Phase Shift Keying）や、２ＳＣ−ＤＰ−１６ＱＡＭ（2 Subcarrier-Dual Polarization-Quadrature Amplitude Modulation）などが用いられる。
【００１９】
図１に示すように、ＯＴＮフレーマ８００は、送信処理部１１０と受信処理部１５０とを備える。
送信処理部１１０は、クライアント信号受信部１２０と、多重処理部１３０と、ライン側送信処理部１４０とを備える。
【００２０】
クライアント信号受信部１２０は、受信部１２１と、マッピング部１２２と、ＯＨ処理部１２３とを備える。
受信部１２１は、クライアント信号を受信する。マッピング部１２２は、受信部１２１が受信した１クライアント信号をＬＯ  ＯＤＵ（Lower Order Optical Channel Data Unit）フレームのペイロードにマッピングする。ＯＨ処理部１２３は、マッピング部１２２がクライアント信号を設定したＬＯ  ＯＤＵフレームにＯＨ（オーバーヘッド）を付加する。ＯＨ処理部１２３は、ＬＯ  ＯＤＵフレームの電気パス信号を、ＯＤＵ−スイッチ（以下、「ＯＤＵ−ＳＷ」と記載）２１０に出力する。ＯＤＵ−ＳＷ２１０は、他のＯＴＮフレーマ８００とも接続されており、電気パス信号のパス交換を行う。
【００２１】
多重処理部１３０は、多重化部１３１とフレーミング部１３２とを備える。多重化部１３１は、ＯＤＵ−ＳＷ２１０から受信した電気パス信号をＬＯ  ＯＤＵフレームに設定する。多重処理部１３０は、ＬＯ  ＯＤＵフレームを一旦ＯＤＴＵ（Optical Channel Data Tributary Unit）フレームにマッピングした後、複数のＯＤＴＵフレームを時間多重してＨＯ  ＯＤＵ（Higher Order ODU）であるＯＤＵＣｎフレームを生成する。フレーミング部１３２は、多重処理部１３０が生成したＯＤＵＣｎフレームにＯＨとＦＥＣ（Forward Error Correction：前方誤り訂正）を付加してＯＴＵＣｎフレームを生成する。フレーミング部１３２は、ＯＴＵＣｎフレームの信号をライン側送信処理部１４０に出力する。
【００２２】
ライン側送信処理部１４０は、インタリーブ部１４１と、ＯＨ処理部１４２−１〜１４２−ｎと、マルチレーン送信部１４３−１〜１４３−ｎとを備える。
インタリーブ部１４１は、多重処理部１３０からＯＴＵＣｎフレームの信号を受信し、受信したｎ×１００ＧのＯＴＵＣｎフレームの信号をバイトインタリーブして、ｎ個のＯＴＬＣｎ．ｎフレームの信号を生成する。ＯＴＬＣｎ．ｎフレームは、１００Ｇのパラレル信号のフレームである。ｉ個目のＯＴＬＣｎ．ｎフレームを、ＯＴＬＣｎ．ｎ＃ｉフレーム（ｉは１以上ｎ以下の整数）と記載する。インタリーブ部１４１は、生成したｎ個のＯＴＬＣｎ．ｎ＃ｉフレームをそれぞれＯＨ処理部１４２−ｉに出力する。
【００２３】
ＯＨ処理部１４２−１〜１４２−ｎは、インタリーブ部１４１から受信したＯＴＬＣｎ．ｎフレームにＯＨを設定する。ＯＨ処理部１４２−ｉは、ＯＨを設定したＯＴＬＣｎ．ｎ＃ｉフレームを、マルチレーン送信部１４３−ｉに出力する。
マルチレーン送信部１４３−１〜１４３−ｎは、ＯＨ処理部１４２−１〜１４２−ｎから受信したＯＴＬＣｎ．ｎフレームのパラレル信号を送信機２２０に出力する。例えば、マルチレーン送信部１４３−ｉは、４本の２８Ｇの電気配線を使用してパラレルにＯＴＬＣｎ．ｎ＃ｉフレームのパラレル信号を送信機２２０に出力する。各送信機２２０は、それぞれ異なる光周波数の光サブキャリアを使用する。送信機２２０は、受信したパラレル信号を電気信号から光信号に変換し、マルチキャリア伝送する。なお、複数のマルチレーン送信部１４３−ｉが１つの送信機２２０に接続されてもよい。ｊ個（ｊは２以上ｎ以下）のマルチレーン送信部１４３−ｉが１つの送信機２２０に接続される場合、その送信機２２０は、ｊ×１００Ｇの光サブキャリアによりｊ個のパラレル信号を伝送する。
【００２４】
受信処理部１５０は、ライン側受信処理部１６０と、分離処理部１７０と、クライアント信号送信部１８０とを備える。
【００２５】
ライン側受信処理部１６０は、マルチレーン受信部１６１−１〜１６１−ｎと、ＯＨ処理部１６２−１〜１６２−ｎと、デインタリーブ部１６３とを備える。
マルチレーン受信部１６１−１〜１６１−ｎは、受信機２３０がマルチキャリア伝送により受信した光信号を電気信号により受信する。受信機２３０は、それぞれ異なる光周波数の光サブキャリアにより光信号を受信する。マルチレーン受信部１６１−ｉは、例えば４本の２８Ｇの電気配線を使用して受信機２３０からパラレルに受信した電気信号を、ＯＨ処理部１６２−ｉに出力する。
【００２６】
ＯＨ処理部１６２−１〜１６２−ｎは、受信した信号からＯＴＬＣｎ．ｎフレームのＯＨに設定されているＦＡＳ（frame alignment signal）やＭＦＡＳ（multiframe alignment signal）に基づいてフレームの先頭を検出する。ＯＨ処理部１６２−ｉは、先頭位置を検出することにより、遅延時間差を補償して受信信号からＯＴＬＣｎ．ｎ＃ｉフレームを抽出し、デインタリーブ部１６３に出力する。
デインタリーブ部１６３は、ＯＨ処理部１６２−１〜１６２−ｎから受信したＯＴＬＣｎ．ｎ＃１フレーム〜ＯＴＬＣｎ．ｎ＃ｎフレームをデインタリーブし、１つのＯＴＵＣｎフレームを生成する。
【００２７】
分離処理部１７０は、デフレーミング部１７１及び逆多重化部１７２を備える。
デフレーミング部１７１は、デインタリーブ部１６３が生成したＯＴＵＣｎフレームの信号をＦＥＣ復号し、復号したＯＴＵＣｎフレームからＬＯ  ＯＤＵフレームが時間多重されたＯＤＵＣｎフレームを抽出して逆多重化部１７２に出力する。
逆多重化部１７２は、デフレーミング部１７１が抽出したＯＤＵＣｎフレームの信号から各クライアント信号が設定されたＬＯ  ＯＤＵフレームを抽出し、ＬＯ  ＯＤＵフレームの電気パス信号をＯＤＵ−ＳＷ２１０に出力する。
【００２８】
クライアント信号送信部１８０は、ＯＨ処理部１８１と、デマッピング部１８２と、送信部１８３とを備える。
ＯＨ処理部１８１は、ＯＤＵ−ＳＷ２１０から電気パス信号を受信し、受信した電気パス信号からＬＯ  ＯＤＵフレームを復号する。ＯＨ処理部１８１は、ＬＯ  ＯＤＵフレームに対してＯＨに関する処理を行い、デマッピング部１８２に出力する。
デマッピング部１８２は、ＯＨ処理部１８１からＬＯ  ＯＤＵフレームの電気パス信号を受信し、受信した電気パス信号からクライアント信号を抽出して送信部１８３に出力する。
送信部１８３は、デマッピング部１８２が抽出したクライアント信号を送信する。
【００２９】
なお、クライアント信号受信部１２０と多重処理部１３０、及び、分離処理部１７０とクライアント信号送信部１８０がＯＤＵ−ＳＷ２１０を介さずに接続されてもよい。
【００３０】
図２は、ＯＴＵＣｎのフレーム構造を示す図である。
ＯＴＵＣｎは、ＯＤＵＣｎに、ＦＡＣｎ  ＯＨ、ＯＴＵＣｎ  ＯＨ、ＯＰＵＣｎ  ＯＨ、及び、ＯＴＵＣｎＦＥＣを付加して生成される。ＯＴＵＣｎは、４行、４０８０×ｎ列で標記される。
ＯＴＵＣｎの（１６×ｎ＋１）〜３８２４×ｎ列目のＯＰＵＣｎペイロード（Payload）には、クライアント信号がマッピングされる。ＯＴＵＣｎフレームの１〜１６×ｎ列目には、ＯＨが設定される。１行目の１〜７×ｎ列目には、ＦＡＣｎ  ＯＨが設定される。ＦＡＣｎ  ＯＨは、フレーム同期に必要な情報を含む。（７×ｎ＋１）〜１４×ｎ列目には光チャネルのセクション監視情報を収容するＯＴＵＣｎ  ＯＨが挿入される。２〜４行目の１〜１４×ｎ列目には、ＯＤＵＣｎ  ＯＨが挿入され、光チャネルのパス管理運用情報を収容する。（１４×ｎ＋１）〜１６×ｎ列目には、ＯＰＵＣｎ  ＯＨが挿入され、クライアント信号のマッピング／デマッピングに必要な情報などが収容される。３８２４×ｎ＋１〜４０８０×ｎ列目のＯＰＵＣｎ  ＦＥＣには、ＦＥＣ用のパリティチェックバイトが付加される。
【００３１】
図３は、ＯＴＬＣｎ．ｎのフレーム構造を示す図である。
ＯＴＬＣｎ．ｎは、４行、４０８０列で標記される。ＯＴＬＣｎ．ｎ＃１〜ＯＴＬＣｎ．ｎ＃ｎは、バイトインタリーブによりＯＴＵＣｎフレームを分割して得られる。
ＯＴＵＣｎのＯＰＵＣｎペイロードは、ＯＴＬＣｎ．ｎ＃ｉの１７〜３８２４列目のＯＰＵＣｎ．ｎ＃ｉペイロードにマッピングされる。
ＯＴＬＣｎ．ｎ＃ｉの１〜１６列目には、ＯＨが設定される。ＯＴＬＣｎ．ｎ＃ｉのＯＨは、ＯＴＵＣｎ  ＯＨ等に基づいて設定される。１行目の１〜７列目には、ＦＡＬＣｎ．ｎ＃ｉ  ＯＨが設定される。ＦＡＬＣｎ．ｎ＃ｉ  ＯＨは、ＦＡＳやＭＦＡＳなど、フレーム同期に必要な情報を含む。８〜１４列目には、光チャネルのセクション監視情報を収容するＯＴＬＣｎ．ｎ＃ｉ  ＯＨが挿入される。２〜４行目の１〜１４×ｎ列目には、ＯＤＬＣｎ．ｎ＃ｉ  ＯＨが挿入され、光チャネルのパス管理運用情報を収容する。１５〜１６列目には、ＯＰＬＣｎ．ｎ＃ｉ  ＯＨが挿入され、クライアント信号のマッピング／デマッピングに必要な情報などが収容される。３８２５〜４０８０列目のＯＴＵＣ＃ｉ  ＦＥＣには、ＦＥＣ用のパリティチェックバイトが付加される。
【００３２】
図４は、光信号の伝送に用いられる光チャネルを示す図である。
図４（ａ）は、４００Ｇの光信号を１光周波数（シングルキャリア）によりシリアル伝送する場合の光チャネルを示す図であり、図４（ｂ）は、４００Ｇの光信号を４つの光サブキャリアによりパラレル伝送（マルチキャリア伝送）する場合の光チャネルを示す図である。
従来の電子回路では、動作速度の制約から、図４（ａ）に示すように、１光周波数によりシリアル伝送することができる帯域を、１００Ｇを超えて拡張し続けていくことは困難である。そこでＯＴＵＣｎでは、１００Ｇ超の帯域を複数の光サブキャリアによりパラレル伝送することにより、電子回路の制約を受けずに広帯域伝送を実現する。このパラレル伝送には、偏波多重、多値変調などが用いられる。変調方式によって、光サブキャリアの帯域は異なる。
図４（ｂ）は、４００Ｇの１光チャネルを、１００Ｇの４光サブキャリアによりパラレル伝送した場合の例であり、図４（ｃ）は、４００Ｇの１光チャネルを、２００Ｇの２光サブキャリアによりパラレル伝送した場合の例である。また、ｎを変化させることにより、図４（ｄ）に示すように、１００Ｇ単位で伝送帯域を増加させていくことができるフレキシビリティを有する。
【００３３】
図５は、本発明の一実施形態による光通信システムが備える光伝送装置５０の構成例を示す図である。
光伝送装置５０は、ＯＤＵクロスコネクト機能部５１、光伝送機能部５５、及び、監視制御部６０を備える。
ＯＤＵクロスコネクト機能部５１において、１以上のＵＮＩ（ユーザ−ネットワークインタフェース）カード５２と、１以上のＮＮＩ（ネットワーク−ネットワークインタフェース）カード５４とは、ＯＤＵ−ＸＣ（クロスコネクト）５３により接続される。ＵＮＩカード５２は、それぞれの通信規格により、クライアント側の通信機器と接続される。ＵＮＩカード５２のＯＴＮフレーマ５２１は、図１に示すＯＴＮフレーマ８００のクライアント信号受信部１２０及びクライアント信号送信部１８０の機能を有する。ＯＤＵ−ＸＣ５３は、図１に示すＯＤＵ−ＳＷ２１０に相当する。ＮＮＩカード５４は、ＯＴＮフレーマ５４１と複数の光ＳＣ（サブキャリア）送受信機５４２を備える。ＯＴＮフレーマ５４１は、図１に示すＯＴＮフレーマ８００の多重処理部１３０、ライン側送信処理部１４０、ライン側受信処理部１６０、及び分離処理部１７０の機能を有する。光ＳＣ送受信機５４２は、図１に示す送信機２２０及び受信機２３０の機能を有する。光ＳＣ送受信機５４２は、例えば、ＤＳＰ（Digital Signal Processor）を備えて構成される。同図においては、複数の光ＳＣ送受信機５４２の光信号を多重して１つのポートから出力しているが、各光ＳＣ送受信機５４２がそれぞれ１つのポートにより光信号を出力してもよい。
【００３４】
光伝送機能部５５は、トランスポンダ５６、合分波器５７、波長ＸＣ（クロスコネクト）５８、及び光ＡＭＰ（アンプ）５９を備える。
トランスポンダ５６は、ＯＴＮフレーマ５６１及び複数の光ＳＣ送受信機５６２を備える。ＯＴＮフレーマ５６１は、図１に示すＯＴＮフレーマ８００の機能を有し、光ＳＣ送受信機５６２は、図１に示す送信機２２０及び受信機２３０の機能を有する。光ＳＣ送受信機５６２は、例えば、ＤＳＰを備えて構成される。同図においては、複数の光ＳＣ送受信機５６２の光信号を多重して１つのポートから出力しているが、各光ＳＣ送受信機５６２はそれぞれ１つのポートにより光信号を出力してもよい。
【００３５】
各ＮＮＩカード５４及び各トランスポンダ５６は、それぞれ異なる光周波数の光チャネルを使用する。光ＳＣ送受信機５４２を４台備えるＮＮＩカード５４や、光ＳＣ送受信機５４２を４台備えるトランスポンダ５６は、１光チャネルの光信号を４光サブキャリアにより送信する。また、光ＳＣ送受信機５４２を２台備えるＮＮＩカード５４や、光ＳＣ送受信機５６２を２台備えるトランスポンダ５６は、１光チャネルの光信号を２光サブキャリアにより送信する。光伝送装置５０を、ＯＤＵクロスコネクト機能部５１、又は、トランスポンダ５６のいずれかを備えないように構成することもできる。
【００３６】
合分波器５７は、波長多重機能部であり、光信号のＷＤＭ（Wavelength Division Multiplexing：波長分割多重）を行う。合分波器５７は、ＮＮＩカード５４の光ＳＣ送受信機５４２及びトランスポンダ５６の光ＳＣ送受信機５６２から受信した光信号を合波して受信側の他の光伝送装置５０に送信する。また、合分波器５７は、送信側の他の光伝送装置５０から受信した光信号を分波してＮＮＩカード５４の光ＳＣ送受信機５４２及びトランスポンダ５６の光ＳＣ送受信機５６２に出力する。
波長ＸＣ５８は、合分波器５７から受信した光信号のパスを挿入し、設定方路へ出力する。また、波長ＸＣ５８は、光ＡＭＰ５９から受信した光信号のパスを分岐して合分波器５７に出力する。
光ＡＭＰ５９は、光信号を増幅する。
【００３７】
監視制御部６０は、各部の監視及び制御を行う。監視制御部６０は、機器管理情報記憶部６１、障害検出部６２、及び遅延調整量通知部６３を備える。
機器管理情報記憶部６１は、機器管理情報を記憶する。機器管理情報は、構成情報とサブキャリア管理情報とを示す。構成情報は、各ＮＮＩカード５４が備える光ＳＣ送受信機５４２と、各トランスポンダ５６が備える光ＳＣ送受信機５６２と、各光ＳＣ送受信機５４２及び各光ＳＣ送受信機５６２が使用する光サブキャリアの情報を示す。光サブキャリアの情報は、光サブキャリアの波長を示す情報でもよく、光サブキャリアを特定する番号を示す情報でもよい。サブキャリア管理情報は、各光サブキャリアが、通常稼働中、切替稼働中、停止中、あるいは障害発生中のいずれの運用状態であるかと、共用予備の光サブキャリアであるか否かとを示す。以下では、波長λの光サブキャリアを光サブキャリア（λ）と記載する。
【００３８】
障害検出部６２は、光サブキャリアの受信や送信の状態を監視し、光サブキャリアの障害を検出する。なお、障害検出部６２は、対向する光伝送装置５０から通知を受信することにより、光サブキャリアの障害を検出してもよい。障害検出部６２は、サブキャリア管理情報を参照し、共用予備の光サブキャリアの中から、切替先の光サブキャリアを選択する。障害検出部６２は、構成情報を参照して、障害が発生した光サブキャリアを使用する光ＳＣ送受信機５４２を備えるＮＮＩカード５４のＯＴＮフレーマ５４１又は障害が発生した光サブキャリアを使用する光ＳＣ送受信機５６２を備えるトランスポンダ５６のＯＴＮフレーマ５６１を特定する。障害検出部６２は、特定したＯＴＮフレーマ５４１又はＯＴＮフレーマ５６１と、対向する光伝送装置５０に障害を通知する。この通知には、障害が発生した光サブキャリアの情報と、切替先の光サブキャリアの情報が含まれる。障害検出部６２は、障害が発生した光サブキャリアの運用状態を障害発生中とし、切替先の光サブキャリアの運用状態を切替稼働中とするようサブキャリア管理情報を書き換える。
【００３９】
遅延調整量通知部６３は、光チャネル間の伝送遅延差を取得し、取得した伝送遅延差に基づいて、光チャネル間の伝送遅延差を補償するための遅延調整量を算出し、ＮＮＩカード５４やトランスポンダ５６に通知する。遅延調整量通知部６３は、各ＮＮＩカード５４や各トランスポンダ５６がパラレル信号を受信したときの時刻の差分から光チャネル間の伝送遅延差を算出する。伝送遅延差の算出には、各光チャネルの中心波長のパラレル信号の受信時刻を用いてもよく、予め決められた各光チャネルの代表波長のパラレル信号の受信時刻を用いてもよい。受信時刻は、ＮＮＩカード５４またはトランスポンダ５６がパラレル信号の先頭を受信した時刻とする。パラレル信号の先頭は、ＯＨのＦＡＳやＭＦＡＳにより検出することができる。
【００４０】
図６は、各種デスキューの遅延調整量の比較を示す図である。
ＯＴＬＣｎレーン遅延調整（デスキューα）は、ＯＴＮフレーマ５４１やＯＴＮフレーマ５６１において従来技術と同様に行われる。同一光チャネル内の波長間遅延調整（デスキューβ）は、ＯＴＮフレーマ５４１及び光ＳＣ送受信機５４２、ＯＴＮフレーマ５６１及び光ＳＣ送受信機５６２において従来技術と同様により行われる。異光チャネル間波長間遅延調整（デスキューγ）は、遅延調整量通知部６３から通知された伝送遅延差を利用してＯＴＮフレーマ５４１やＯＴＮフレーマ５６１において行われる。デスキューγの遅延調整量は、デスキューαやデスキューβの遅延調整量よりも大きい。
【００４１】
図７は、通常運用状態における送信側の光伝送装置５０におけるＯＤＵＣｎフレーム（信号フレーム）へのパスのマッピングの例を示す図である。同図では、ｎ＝４であり、送信側の光伝送装置５０のＮＮＩカード５４が４台の光ＳＣ送受信機５４２を備える場合を示している。送信側の光伝送装置５０において、共用予備の光サブキャリアを使用しないＮＮＩカード５４をＮＮＩカード５４−ｓ１と記載し、共用予備の光サブキャリアを使用するＮＮＩカード５４をＮＮＩカード５４−ｓ２と記載する。そして、ＮＮＩカード５４−ｓ１が備えるＯＴＮフレーマ５４１をＯＴＮフレーマ５４１−ｓ１と記載し、ＮＮＩカード５４−ｓ１が備えるｉ番目の光ＳＣ送受信機５４２を光ＳＣ送受信機５４２−ｓ１−ｉと記載する。また、ＮＮＩカード５４−ｓ２が備えるＯＴＮフレーマ５４１をＯＴＮフレーマ５４１−ｓ２と記載し、ＮＮＩカード５４−ｓ２が備えるｉ番目の光ＳＣ送受信機５４２をそれぞれ光ＳＣ送受信機５４２−ｓ２−ｉと記載する。光ＳＣ送受信機５４２−ｓ１−ｉは、光チャネルｃｈ１における波長λ１ｉの１００Ｇの光サブキャリア（λ１ｉ）を使用し、光ＳＣ送受信機５４２−ｓ２−ｉは、光チャネルｃｈ２における波長λ２ｉの１００Ｇの光サブキャリア（λ２ｉ）を使用する。光サブキャリア（λ２１）は、共用予備の光サブキャリアである。
【００４２】
ＯＤＵＣ４フレームへマッピングされるパスは、クライアント信号に割当てられた論理的なパスであり、１つのＬＯ  ＯＤＵや１つのＯＤＴＵフレームに対応する。ＯＤＵＣ４フレーム内の１．２５ＧのＴＳは、ＯＴＬＣ４．４＃１〜ＯＴＬＣ４．４＃４のいずれにマッピングされるかが予め静的あるいは動的に決められている。同図では、ＯＤＵＣ４フレームの１行目のＴＳがＯＴＬＣ４．４＃１に、２行目のＴＳがＯＴＬＣ４．４＃２に、３行目のＴＳがＯＴＬＣ４．４＃３に、４行目のＴＳがＯＴＬＣ４．４＃４にマッピングされる場合を示している。なお、同図では簡単のため、ＯＴＬＣ４．４＃ｉの１００Ｇ分のＴＳを、１行の１０個のＴＳにより表している。以下では、ＯＴＬＣｎ．ｎ＃ｉにマッピングされるＯＤＵＣｎフレームのＴＳ群を、ＯＴＬＣｎ．ｎ＃ｉの領域と記載する。ＯＴＬＣｎ．ｎ＃ｉのパラレル信号は、ｉ番目の光ＳＣ送受信機５４２から送信される。つまり、ＯＴＮフレーマ５４１−ｓ１が使用するＯＤＵＣ４フレームであるＯＤＵＣ４フレームＦｓ１においてＯＴＬＣ４．４＃ｉの領域は光サブキャリア（λ１ｉ）及び光ＳＣ送受信機５４２−ｓ１−ｉに対応する。ＯＴＮフレーマ５４１−ｓ２が使用するＯＤＵＣ４フレームであるＯＤＵＣ４フレームＦｓ２においてＯＴＬＣ４．４＃ｉの領域は光サブキャリア（λ２ｉ）及び光ＳＣ送受信機５４２−ｓ２−ｉに対応する。
【００４３】
同図では、ＯＤＵＣ４フレームＦｓ１において、クライアントＡの１０ＧのパスがＯＴＬＣ４．４＃４の領域に割当てられ、クライアントＢの１００ＧのパスがＯＴＬＣ４．４＃１の領域に割当てられ、クライアントＣの２００ＧのパスがＯＴＬＣ４．４＃２及び＃３の領域に割当てられている。また、ＯＤＵＣ４フレームＦｓ２において、クライアントＤの１００ＧのパスがＯＴＬＣ４．４＃２の領域に割当てられ、クライアントＥの２００ＧのパスがＯＴＬＣ４．４＃３及び＃４の領域に割当てられている。ＯＤＵＣ４フレームＦｓ２の共用予備の光サブキャリア（λ２１）に対応したＯＴＬＣ４．４＃１の領域には、パスは割り当てられていない。
【００４４】
ＯＴＮフレーマ５４１−ｓ１の光ＳＣ送受信機５４２−ｓ１−１〜５４２−ｓ１−４は、光チャネルｃｈ１の帯域において波長λ１１〜λ１４の光サブキャリアにより、クライアントＡ、Ｂ、Ｃのクライアント信号が設定されたＯＴＬＣ４．４＃１〜＃４のパラレル信号をマルチキャリア伝送する。ＯＴＮフレーマ５４１−ｓ２の光ＳＣ送受信機５４２−ｓ２−１〜５４２−ｓ２−４は、光チャネルｃｈ２の帯域において波長λ２１〜λ２４の光サブキャリアにより、クライアントＤ、Ｅのクライアント信号が設定されたＯＴＬＣ４．４＃１〜＃４のパラレル信号をマルチキャリア伝送する。ただし、共用予備の光サブキャリア（λ２１）により送信されるＯＴＬＣ４．４＃１のパラレル信号には、クライアント信号が設定されていない。なお、ＳＣ送受信機５４２−ｓ２−１は、通常運用状態では停止とし、光サブキャリアを送信しなくてもよい。
【００４５】
図８は、光サブキャリア障害時の送信側の光伝送装置５０におけるＯＤＵＣｎフレームへのパスのマッピングの例を示す図である。同図では、図７に示すＮＮＩカード５４−ｓ１の光ＳＣ送受信機５４２−ｓ１−３が故障し、光サブキャリア（λ１３）に障害が発生した場合を示している。ＯＴＮフレーマ５４１−ｓ１は、ＯＤＵＣ４フレームＦｓ１の光サブキャリア（λ１３）に対応した領域のＴＳに割当てていたパスの割当先を、ＯＴＮフレーマ５４１−ｓ２が使用するＯＤＵＣ４フレームＦｓ２の切替先の光サブキャリア（λ２１）に対応した領域のＴＳに変更する。つまり、ＯＴＮフレーマ５４１−ｓ１は、クライアントＣのパスが割当てられているＯＤＵＣ４フレームＦｓ１のＴＳのうち、割当先がＯＴＬＣ４．４＃３の領域のＴＳとなっている分を、ＯＤＵＣ４フレームＦｓ２のＯＴＬＣ４．４＃１の領域のＴＳを割当先とするよう変更する。
【００４６】
これにより、ＯＴＮフレーマ５４１−ｓ１の光ＳＣ送受信機５４２−ｓ１−１、５４２−ｓ１−２及び５４２−ｓ１−４は、光チャネルｃｈ１の帯域において波長λ１１、λ１２及びλ１４の光サブキャリアにより、クライアントＡ、Ｂ、Ｃのクライアント信号が設定されたＯＴＬＣ４．４＃１、＃２及び＃４のパラレル信号をマルチキャリア伝送する。一方、ＯＴＮフレーマ５４１−ｓ２の光ＳＣ送受信機５４２−ｓ２−１〜５４２−ｓ２−４は、光チャネルｃｈ２の帯域において波長λ２１〜λ２４の光サブキャリアにより、クライアントＣ、Ｄ、Ｅのクライアント信号が設定されたＯＴＬＣ４．４＃１〜＃４のパラレル信号をマルチキャリア伝送する。クライアントＣのクライアント信号が設定されたＯＴＬＣ４．４＃１のパラレル信号は、光サブキャリア（λ２１）により伝送される。
【００４７】
図９は、図８に示すマッピングの結果送信されたパラレル信号の受信側の光伝送装置における受信処理を示す図である。同図では、受信側の光伝送装置５０が備えるＮＮＩカードのうち、光チャネルｃｈ１の光信号を受信するＮＮＩカード５４をＮＮＩカード５４−ｒ１と記載し、光チャネルｃｈ２の光信号を受信するＮＮＩカード５４をＮＮＩカード５４−ｒ２と記載する。ＮＮＩカード５４−ｒ１が備えるＯＴＮフレーマ５４１をＯＴＮフレーマ５４１−ｒ１と記載し、ＮＮＩカード５４−ｒ１が備えるｉ番目の光ＳＣ送受信機５４２を光ＳＣ送受信機５４２−ｒ１−ｉと記載する。また、ＮＮＩカード５４−ｒ２が備えるＯＴＮフレーマ５４１をＯＴＮフレーマ５４１−ｒ２と記載し、ＮＮＩカード５４−ｒ２が備えるｉ番目の光ＳＣ送受信機５４２を光ＳＣ送受信機５４２−ｒ２−ｉと記載する。光ＳＣ送受信機５４２−ｒ１−ｉは、光チャネルｃｈ１における波長λ１ｉの１００Ｇの光サブキャリア（λ１ｉ）を受信し、光ＳＣ送受信機５４２−ｒ２−ｉは、光チャネルｃｈ２における波長λ２ｉの１００Ｇの光サブキャリア（λ２ｉ）を受信する。
【００４８】
ＮＮＩカード５４−ｒ１の光ＳＣ送受信機５４２−ｒ１−１、５４２−ｒ１−２及び５４２−ｒ１−４は、送信側の光伝送装置５０からマルチキャリア伝送された光チャネルｃｈ１の帯域の光信号を電気信号に変換し、ＯＴＮフレーマ５４１−ｒ１に出力する。ＯＴＮフレーマ５４１−ｒ１は、光ＳＣ送受信機５４２−ｒ１−１、５４２−ｒ１−２及び５４２−ｒ１−４のそれぞれから光信号を受信すると、受信した光信号からＯＴＬＣ４．４フレームのＯＨに設定されているＦＡＳやＭＦＡＳに基づいて、ＯＴＬＣ４．４＃１、＃２及び＃４それぞれのフレームの先頭を検出する。ＯＴＮフレーマ５４１−ｒ１は、検出したフレームの先頭位置に基づいて遅延時間差を補償してＯＴＬＣ４．４＃１、＃２及び＃４のパラレル信号を抽出する。
【００４９】
一方、ＮＮＩカード５４−ｒ２の光ＳＣ送受信機５４２−ｒ２−１〜５４２−ｒ２−４は、送信側の光伝送装置５０からマルチキャリア伝送された光チャネルｃｈ２の帯域の光信号を電気信号に変換し、ＯＴＮフレーマ５４１−ｒ２に出力する。ＯＴＮフレーマ５４１−ｒ２は、各光ＳＣ送受信機５４２−ｒ２−１〜５４２−ｒ２−４から光信号を受信すると、受信した光信号からＯＴＬＣ４．４フレームのＯＨに設定されているＦＡＳやＭＦＡＳに基づいて、ＯＴＬＣ４．４＃１〜＃４それぞれのフレームの先頭を検出する。ＯＴＮフレーマ５４１−ｒ２は、検出したフレームの先頭位置に基づいて遅延時間差を補償してＯＴＬＣ４．４＃１〜＃４のパラレル信号を抽出する。
【００５０】
受信側の光伝送装置５０の遅延調整量通知部６３は、光チャネルｃｈ１と光チャネルｃｈ２の伝送遅延差を補償するための遅延調整量をＮＮＩカード５４−ｒ１及びＮＮＩカード５４−ｒ２に通知している。ＮＮＩカード５４−ｒ１は、光チャネルｃｈ１により受信したＯＴＬＣ４．４＃１、＃２及び＃４のパラレル信号に遅延調整量通知部６３から指示された遅延調整量を付加する。同様に、ＮＮＩカード５４−ｒ２は、光チャネルｃｈ２により受信したＯＴＬＣ４．４＃１〜＃４のパラレル信号（あるいはＯＴＬＣ４．４＃１のパラレル信号）に、遅延調整量通知部６３から指示された遅延調整量を付加する。これにより、光チャネルｃｈ１及び光チャネルｃｈ２間の伝送遅延差を補償する異光チャネル間波長間遅延調整（デスキューγ）を行う。ＯＴＮフレーマ５４１−ｒ２は、切替先の光サブキャリア（λ２１）により伝送されたＯＴＬＣ４．４＃１のパラレル信号をＮＮＩカード５４−ｒ１に出力する。
【００５１】
ＮＮＩカード５４−ｒ１は、ＯＴＬＣ４．４＃１、＃２及び＃４のパラレル信号、ならびに、ＮＮＩカード５４−ｒ２から受信したパラレル信号をデインタリーブして１つのＯＴＵＣ４フレームの信号を生成する。ＮＮＩカード５４−ｒ１は、生成したＯＴＵＣ４フレームの信号からＯＤＵＣ４フレームを抽出し、抽出したＯＤＵＣ４フレームからクライアントＡ、Ｂ、Ｃのクライアント信号を抽出する。一方、ＮＮＩカード５４−ｒ２は、ＯＴＬＣ４．４＃２〜＃４のパラレル信号をデインタリーブして１つのＯＴＵＣ４フレームの信号を生成する。ＮＮＩカード５４−ｒ２は、生成したＯＴＵＣ４フレームの信号からＯＤＵＣ４フレームを抽出し、抽出したＯＤＵＣ４フレームからクライアントＤ、Ｅのクライアント信号を抽出する。
【００５２】
なお、複数の光サブキャリアに障害が発生した場合、共用予備の光サブキャリアを使用する光ＳＣ送受信機を複数使用してもよい。
図１０は、複数光サブキャリア障害時の送信側の光伝送装置５０におけるＯＤＵＣｎフレームへのパスのマッピングの例を示す図である。ここでは、図８に示す状態においてさらにＮＮＩカード５４−ｓ１の光ＳＣ送受信機５４２−ｓ１−１が故障し、光サブキャリア（λ１１）に障害が発生した場合を示している。光伝送装置５０は、ＮＮＩカード５４−ｓ２に加え、共用予備の光サブキャリアを使用する他のＮＮＩカード５４であるＮＮＩカード５４−ｓ３を使用する。ＮＮＩカード５４−ｓ３が備えるＯＴＮフレーマ５４１をＯＴＮフレーマ５４１−ｓ３と記載し、ＮＮＩカード５４−ｓ３が備えるｉ番目の光ＳＣ送受信機５４２をそれぞれ光ＳＣ送受信機５４２−ｓ３−ｉと記載する。光ＳＣ送受信機５４２−ｓ３−ｉは、光チャネルｃｈ３における波長λ３ｉの１００Ｇの光サブキャリアを使用する。ＯＴＮフレーマ５４１−ｓ３が使用するＯＤＵＣ４フレームであるＯＤＵＣ４フレームＦｓ３において、クライアントＦの１００ＧのパスがＯＴＬＣ４．４＃１の領域に割当てられ、クライアントＧの２００ＧのパスがＯＴＬＣ４．４＃２及び＃３の領域に割当てられている。ＯＤＵＣ４フレームＦｓ３の共用予備の光サブキャリア（λ３４）に対応したＯＴＬＣ４．４＃４の領域には、パスは割り当てられていない。
【００５３】
図８の状態において、ＮＮＩカード５４−ｓ１の光ＳＣ送受信機５４２−ｓ１−１が使用する光サブキャリア（λ１１）に障害が発生したとする。ＯＴＮフレーマ５４１−ｓ１は、ＯＤＵＣ４フレームＦｓ１の光サブキャリア（λ１１）に対応した領域のＴＳに割当てていたパスの割当先を、ＯＴＮフレーマ５４１−ｓ３が使用するＯＤＵＣ４フレームＦｓ３の切替先の光サブキャリア（λ３４）に対応した領域のＴＳに変更する。つまり、ＯＴＮフレーマ５４１−ｓ１は、クライアントＢのパスの割当先を、ＯＤＵＣ４フレームＦｓ１のＯＴＬＣ４．４＃１の領域のＴＳから、ＯＤＵＣ４フレームＦｓ３のＯＴＬＣ４．４＃４の領域のＴＳに変更する。これにより、ＯＴＮフレーマ５４１−ｓ１の光ＳＣ送受信機５４２−ｓ１−２及び５４２−ｓ１−４は、光チャネルｃｈ１の帯域において波長λ１２及びλ１４の光サブキャリアにより、ＯＴＬＣ４．４＃２及び＃４のパラレル信号をマルチキャリア伝送する。一方、ＯＴＮフレーマ５４１−ｓ２の光ＳＣ送受信機５４２−ｓ２−１〜５４２−ｓ２−４は、図８と同様に、光チャネルｃｈ２の帯域において波長λ２１〜λ２４の光サブキャリアにより、ＯＴＬＣ４．４＃１〜＃４のパラレル信号をマルチキャリア伝送する。ＯＴＮフレーマ５４１−ｓ３の光ＳＣ送受信機５４２−ｓ３−１〜５４２−ｓ３−４は、光チャネルｃｈ３の帯域において波長λ３１〜λ３４の光サブキャリアにより、ＯＴＬＣ４．４＃１〜＃４のパラレル信号をマルチキャリア伝送する。
【００５４】
図１１は、図１０に示すマッピングの結果送信されたパラレル信号の受信側の光伝送装置における受信処理を示す図である。同図では、受信側の光伝送装置５０が備えるＮＮＩカードのうち、光チャネルｃｈ３の光信号を受信するＮＮＩカード５４をＮＮＩカード５４−ｒ３と記載する。ＮＮＩカード５４−ｒ３が備えるＯＴＮフレーマ５４１をＯＴＮフレーマ５４１−ｒ３と記載し、ＮＮＩカード５４−ｒ３が備えるｉ番目の光ＳＣ送受信機５４２を光ＳＣ送受信機５４２−ｒ３−ｉと記載する。光ＳＣ送受信機５４２−ｒ３−ｉは、光チャネルｃｈ３における波長λ３ｉの１００Ｇの光サブキャリアを受信する。
【００５５】
ＮＮＩカード５４−ｒ１の光ＳＣ送受信機５４２−ｒ１−２及び５４２−ｒ１−４は、送信側の光伝送装置５０からマルチキャリア伝送された光チャネルｃｈ１の帯域の光信号を電気信号に変換し、ＯＴＮフレーマ５４１−ｒ１に出力する。ＯＴＮフレーマ５４１−ｒ１は、受信した信号からＯＴＬＣ４．４＃２及び＃４それぞれのフレームの先頭を検出し、検出したフレームの先頭位置に基づいて遅延時間差を補償してＯＴＬＣ４．４＃２及び＃４のパラレル信号を抽出する。
【００５６】
ＮＮＩカード５４−ｒ２は、図９と同様に、光チャネルｃｈ２で受信したＯＴＬＣ４．４＃１〜＃４のパラレル信号を抽出する。
ＮＮＩカード５４−ｒ３の光ＳＣ送受信機５４２−ｒ３−１〜５４２−ｒ３−４は、送信側の光伝送装置５０からマルチキャリア伝送された光チャネルｃｈ３の帯域の光信号を電気信号に変換し、ＯＴＮフレーマ５４１−ｒ３に出力する。ＯＴＮフレーマ５４１−ｒ３は、受信した信号からＯＴＬＣ４．４＃１〜＃４それぞれのフレームの先頭を検出し、検出したフレームの先頭位置に基づいて遅延時間差を補償してＯＴＬＣ４．４＃１〜＃４のパラレル信号を抽出する。
【００５７】
受信側の光伝送装置５０の遅延調整量通知部６３は、光チャネルｃｈ１、ｃｈ２、及びｃｈ３の間の伝送遅延差を補償するための遅延調整量をＮＮＩカード５４−ｒ１、５４−ｒ２、及び５４−ｒ３に通知している。ＮＮＩカード５４−ｒ１は、光チャネルｃｈ１により受信したＯＴＬＣ４．４＃２及び＃４のパラレル信号に、遅延調整量通知部６３から指示された遅延調整量を付加する。同様に、ＮＮＩカード５４−ｒ２は、光チャネルｃｈ２により受信したＯＴＬＣ４．４＃１〜＃４のパラレル信号（あるいはＯＴＬＣ４．４＃１のパラレル信号）に遅延調整量通知部６３から指示された遅延調整量を付加し、ＮＮＩカード５４−ｒ３は、光チャネルｃｈ３により受信したＯＴＬＣ４．４＃１〜＃４のパラレル信号（あるいはＯＴＬＣ４．４＃４のパラレル信号）に、遅延調整量通知部６３から指示された遅延調整量を付加する。これにより、光チャネルｃｈ１、ｃｈ２、及びｃｈ３間の伝送遅延差を補償する。ＯＴＮフレーマ５４１−ｒ２は、切替先の光サブキャリア（λ２１）により伝送されたＯＴＬＣ４．４＃１のパラレル信号をＮＮＩカード５４−ｒ１に出力する。ＯＴＮフレーマ５４１−ｒ３は、切替先の光サブキャリア（λ３４）により伝送されたＯＴＬＣ４．４＃４のパラレル信号をＮＮＩカード５４−ｒ１に出力する。
【００５８】
ＮＮＩカード５４−ｒ１は、ＯＴＬＣ４．４＃２及び＃４のパラレル信号、ならびに、ＮＮＩカード５４−ｒ２及びＮＮＩカード５４−ｒ３から受信したパラレル信号をデインタリーブして１つのＯＴＵＣ４フレームの信号を生成する。ＮＮＩカード５４−ｒ１の以降の処理は図９の処理と同様である。
なお、１台のＮＮＩカード５４が複数の共用予備の光サブキャリアを使用してもよい。
【００５９】
図１２は、複数のパラレル信号を１光サブキャリアで送信する場合の通常運用状態の送信側の光伝送装置５０におけるＯＤＵＣｎフレームへのパスのマッピングの例を示す図である。複数のパラレル信号を１光サブキャリアで送信するＮＮＩカード５４は、ｋ台（ｋはｎ未満の整数）の光ＳＣ送受信機５４２を備える。同図では、ｎ＝４、ｋ＝２の場合を示している。共用予備の光サブキャリアを使用しないＮＮＩカード５４をＮＮＩカード５４−ｓ４と記載し、共用予備の光サブキャリアを使用するＮＮＩカード５４をＮＮＩカード５４−ｓ５と記載する。そして、ＮＮＩカード５４−ｓ４が備えるＯＴＮフレーマ５４１をＯＴＮフレーマ５４１−ｓ４と記載し、ＮＮＩカード５４−ｓ４が備えるｊ番目（ｊは１以上ｋ以下の整数）の光ＳＣ送受信機５４２を光ＳＣ送受信機５４２−ｓ４−ｊと記載する。また、ＮＮＩカード５４−ｓ５が備えるＯＴＮフレーマ５４１をＯＴＮフレーマ５４１−ｓ５と記載し、ＮＮＩカード５４−ｓ５が備えるｊ番目の光ＳＣ送受信機５４２をそれぞれ光ＳＣ送受信機５４２−ｓ５−ｊと記載する。光サブキャリア（λ５１）が共用予備である。光ＳＣ送受信機５４２−ｓ４−ｊは、光チャネルｃｈ４における波長λ４ｊの２００Ｇの光サブキャリア（λ４ｊ）を使用し、光ＳＣ送受信機５４２−ｓ５−ｊは、光チャネルｃｈ５における波長λ５ｊの２００Ｇの光サブキャリア（λ５ｊ）を使用する。
【００６０】
ＯＤＵＣ４フレームの１行目のＴＳはＯＴＬＣ４．４＃１に、２行目のＴＳはＯＴＬＣ４．４＃２に、３行目のＴＳはＯＴＬＣ４．４＃３に、４行目のＴＳはＯＴＬＣ４．４＃４にマッピングされる。ＯＴＬＣ４．４＃１及び＃２のパラレル信号は１番目の光ＳＣ送受信機５４２から送信され、ＯＴＬＣ４．４＃３及び＃４のパラレル信号は２番目の光ＳＣ送受信機５４２から送信される。つまり、ＯＴＮフレーマ５４１−ｓ４が使用するＯＤＵＣ４フレームであるＯＤＵＣ４フレームＦｓ４において、ＯＴＬＣ４．４＃１及び＃２の領域は光サブキャリア（λ４１）及び光ＳＣ送受信機５４２−ｓ４−１に対応し、ＯＴＬＣ４．４＃３及び＃４の領域は光サブキャリア（λ４２）及び光ＳＣ送受信機５４２−ｓ４−２に対応する。ＯＴＮフレーマ５４１−ｓ５が使用するＯＤＵＣ４フレームであるＯＤＵＣ４フレームＦｓ５において、ＯＴＬＣ４．４＃１及び＃２の領域は光サブキャリア（λ５１）及び光ＳＣ送受信機５４２−ｓ５−１に対応し、ＯＴＬＣ４．４＃３及び＃４の領域は光サブキャリア（λ５２）及び光ＳＣ送受信機５４２−ｓ５−２に対応する。
【００６１】
ＯＤＵＣ４フレームＦｓ４において、クライアントＡの１０ＧのパスがＯＴＬＣ４．４＃４の領域に割当てられ、クライアントＢの１００ＧのパスがＯＴＬＣ４．４＃１の領域に割当てられ、クライアントＣの２００ＧのパスがＯＴＬＣ４．４＃２及び＃３の領域に割当てられている。また、ＯＤＵＣ４フレームＦｓ５において、クライアントＥの２００ＧのパスがＯＴＬＣ４．４＃３及び＃４の領域に割当てられている。共用予備の光サブキャリアに対応したＯＴＬＣ４．４＃１及び＃２の領域には、パスは割り当てられていない。
【００６２】
ＯＴＮフレーマ５４１−ｓ４の光ＳＣ送受信機５４２−ｓ４−１及び５４２−ｓ４−２はそれぞれ光チャネルｃｈ４の帯域において波長λ４１及びλ４２の光サブキャリアにより、クライアントＡ、Ｂ、Ｃのクライアント信号が設定されたパラレル信号をマルチキャリア伝送する。ＯＴＮフレーマ５４１−ｓ５の光ＳＣ送受信機５４２−ｓ５−１及び５４２−ｓ５−２はそれぞれ、光チャネルｃｈ５の帯域において波長λ５１及びλ５２の光サブキャリアにより、クライアントＥのクライアント信号が設定されたパラレル信号をマルチキャリア伝送する。ただし、共用予備のＳＣ送受信機５４２−ｓ５−１が送信するＯＴＬＣ４．４＃１及び＃２のパラレル信号には、クライアント信号が設定されていない。なお、ＳＣ送受信機５４２−ｓ５−１は、通常運用状態では停止とし、光サブキャリアを送信しなくてもよい。
【００６３】
図１３は、複数のパラレル信号を１光サブキャリアで送信する場合の光サブキャリア障害時のＯＤＵＣｎフレームへのパスのマッピングの例を示す図である。同図では、図１２に示すＮＮＩカード５４−ｓ４の光ＳＣ送受信機５４２−ｓ４−２が故障し、光サブキャリア（λ４２）に障害が発生した場合を示している。ＯＴＮフレーマ５４１−ｓ４は、ＯＤＵＣ４フレームＦｓ４の光サブキャリア（λ４２）に対応した領域のＴＳに割当てていたパスの割当先を、ＯＴＮフレーマ５４１−ｓ５が使用するＯＤＵＣ４フレームＦｓ５の切替先の光サブキャリア（λ５１）に対応した領域のＴＳに変更する。同図の場合、ＯＴＮフレーマ５４１−ｓ４は、クライアントＣのパスが割当てられているＯＤＵＣ４フレームＦｓ４のＴＳのうち、割当先がＯＴＬＣ４．４＃３の領域のＴＳとなっている分を、ＯＤＵＣ４フレームＦｓ５のＯＴＬＣ４．４＃１の領域を割当先とするよう変更する。さらに、ＯＴＮフレーマ５４１−ｓ４は、ＯＤＵＣ４フレームＦｓ４のＯＴＬＣ４．４＃４の領域のＴＳに割当てられているクライアントＡのパスの割当先を、ＯＤＵＣ４フレームＦｓ５のＯＴＬＣ４．４＃２の領域のＴＳに変更する。
【００６４】
これにより、ＯＴＮフレーマ５４１−ｓ４の光ＳＣ送受信機５４２−ｓ４−１は、光チャネルｃｈ４の帯域において波長λ４１の光サブキャリアにより、クライアントＢ、Ｃのクライアント信号が設定されたパラレル信号をマルチキャリア伝送する。一方、ＯＴＮフレーマ５４１−ｓ５の光ＳＣ送受信機５４２−ｓ５−１及び５４２−ｓ５−２は、光チャネルｃｈ５の帯域において波長λ５１及びλ５２の光サブキャリアにより、クライアントＡ、Ｃ、Ｅのクライアント信号が設定されたパラレル信号を伝送する。
【００６５】
図１４は、図１３に示すマッピングの結果送信されたパラレル信号の受信側の光伝送装置における受信処理を示す図である。同図では、受信側の光伝送装置５０が備えるＮＮＩカードのうち、光チャネルｃｈ４の光信号を２光サブキャリアにより受信するＮＮＩカード５４をＮＮＩカード５４−ｒ４と記載し、光チャネルｃｈ５の光信号を２光サブキャリアにより受信するＮＮＩカード５４をＮＮＩカード５４−ｒ５と記載する。ＮＮＩカード５４−ｒ４が備えるＯＴＮフレーマ５４１をＯＴＮフレーマ５４１−ｒ４と記載し、ＮＮＩカード５４−ｒ４が備えるｊ番目の光ＳＣ送受信機５４２を光ＳＣ送受信機５４２−ｒ４−ｊと記載する。また、ＮＮＩカード５４−ｒ５が備えるＯＴＮフレーマ５４１をＯＴＮフレーマ５４１−ｒ５と記載し、ＮＮＩカード５４−ｒ５が備えるｊ番目の光ＳＣ送受信機５４２を光ＳＣ送受信機５４２−ｒ５−ｊと記載する。光ＳＣ送受信機５４２−ｒ４−１は、光チャネルｃｈ４における波長λ４１の２００Ｇの光サブキャリアを受信し、光ＳＣ送受信機５４２−ｒ４−２は、光チャネルｃｈ４における波長λ４２の２００Ｇの光サブキャリアを受信する。光ＳＣ送受信機５４２−ｒ５−１は、光チャネルｃｈ５における波長λ５１の２００Ｇの光サブキャリアを受信し、光ＳＣ送受信機５４２−ｒ５−２は、光チャネルｃｈ５における波長λ５２の２００Ｇの光サブキャリアを受信する。
【００６６】
ＮＮＩカード５４−ｒ４の光ＳＣ送受信機５４２−ｒ４−１は、送信側の光伝送装置５０から光サブキャリア（λ４１）により伝送された光チャネルｃｈ４光信号を電気信号に変換し、ＯＴＮフレーマ５４１−ｒ４に出力する。ＯＴＮフレーマ５４１−ｒ４は、光ＳＣ送受信機５４２−ｒ４−１から光信号を受信すると、受信した信号からフレームの先頭を検出し、ＯＴＬＣ４．４＃１及び＃２のパラレル信号を抽出する。
一方、ＮＮＩカード５４−ｒ５の光ＳＣ送受信機５４２−ｒ５−１及び５４２−ｒ５−２は、送信側の光伝送装置５０からマルチキャリア伝送された光チャネルｃｈ５の帯域の光信号を電気信号に変換し、ＯＴＮフレーマ５４１−ｒ５に出力する。ＯＴＮフレーマ５４１−ｒ５は、受信した信号からフレームの先頭位置を検出し、検出したフレームの先頭位置に基づいて遅延時間差を補償してＯＴＬＣ４．４＃１〜＃４のパラレル信号を抽出する。
【００６７】
受信側の光伝送装置５０の遅延調整量通知部６３は、光チャネルｃｈ４と光チャネルｃｈ５の伝送遅延差を補償するための遅延調整量をＮＮＩカード５４−ｒ４及びＮＮＩカード５４−ｒ４に通知している。ＮＮＩカード５４−ｒ４は、光チャネルｃｈ４により受信したＯＴＬＣ４．４＃１及び＃２のパラレル信号に、遅延調整量通知部６３から指示された遅延調整量を付加する。同様に、ＮＮＩカード５４−ｒ５は、光チャネルｃｈ５により受信したＯＴＬＣ４．４＃１〜＃４のパラレル信号（あるいはＯＴＬＣ４．４＃１及び＃２のパラレル信号）に、遅延調整量通知部６３から指示された遅延調整量を付加する。これにより、光チャネルｃｈ４及び光チャネルｃｈ５間の伝送遅延差を補償する。ＯＴＮフレーマ５４１−ｒ５は、切替先の光サブキャリア（λ５１）により伝送されたＯＴＬＣ４．４＃１及び＃２のパラレル信号をＮＮＩカード５４−ｒ４に出力する。
ＮＮＩカード５４−ｒ４は、ＯＴＬＣ４．４＃１及び＃２のパラレル信号、及び、ＮＮＩカード５４−ｒ５から受信したパラレル信号をデインタリーブして１つのＯＴＵＣ４フレームの信号を生成する。ＮＮＩカード５４−ｒ４は、生成したＯＴＵＣ４フレームの信号からＯＤＵＣ４フレームを抽出し、抽出したＯＤＵＣ４フレームからクライアントＡ、Ｂ、Ｃのクライアント信号を抽出する。一方、ＮＮＩカード５４−ｒ５は、ＯＴＬＣ４．４＃３及び＃４のパラレル信号をデインタリーブして１つのＯＴＵＣ４フレームの信号を生成する。ＮＮＩカード５４−ｒ５は、生成したＯＴＵＣ４フレームの信号からＯＤＵＣ４フレームを抽出し、抽出したＯＤＵＣ４フレームからクライアントＥのクライアント信号を抽出する。
【００６８】
上記では、ＮＮＩカード５４の場合について説明したが、トランスポンダ５６の場合も同様である。
【００６９】
図１５は、光伝送装置５０が備えるＮＮＩカード５４の送信に関する機能ブロックを示す図である。同図に示す２つのＮＮＩカード５４は、図７及び図８に示すＮＮＩカード５４−ｓ１（第一光信号送信部）及びＮＮＩカード５４−ｓ２（第二光信号送信部）である。図１０に示すＮＮＩカード５４−ｓ３は、ＮＮＩカード５４−ｓ２と同様の構成である。同図において、図１に示すＯＴＮフレーマ８００及び図５に示す光伝送装置５０と同一の部分には同一の符号を付し、その説明を省略する。同図では、ｎ＝４の場合を例に示している。
【００７０】
ＮＮＩカード５４−ｓ１は、ＯＴＮフレーマ５４１−ｓ１（第一信号生成部）及び光ＳＣ送受信機５４２−ｓ１−１〜５４２−ｓ１−ｎ（第一光サブキャリア送信部）を備える。なお、図１２及び図１３に示すＮＮＩカード５４−ｓ４の場合、ＮＮＩカード５４−ｓ１がｋ台の光ＳＣ送受信機５４２を備える構成である。ＯＴＮフレーマ５４１−ｓ１は、多重処理部１３０ａ（第一多重処理部）及びライン側送信処理部１４０（第一パラレル信号生成部）を備える。多重処理部１３０ａは、多重化部１３１ａ及びフレーミング部１３２を備える。多重化部１３１ａは、図１に示す多重化部１３１と同様の機能を有する。さらに、多重化部１３１ａは、障害が発生した光サブキャリアに対応したＯＤＵＣｎフレームの領域に割当てられているパスを、ＮＮＩカード５４−ｓ２の切替先の光サブキャリアに対応したＯＤＵＣｎフレームの領域に割当てる。光ＳＣ送受信機５４２−ｓ１−１〜５４２−ｓ１−ｎは、送信機２２０を備える。
【００７１】
ＮＮＩカード５４−ｓ２は、ＯＴＮフレーマ５４１−ｓ２（第二信号生成部）及び光ＳＣ送受信機５４２−ｓ２−１〜５４２−ｓ２−ｎ（第二光サブキャリア送信部）を備える。なお、図１２に示すＮＮＩカード５４−ｓ５の場合、ＮＮＩカード５４−ｓ２においてｋ台の光ＳＣ送受信機５４２を備える構成である。ＯＴＮフレーマ５４１−ｓ２は、多重処理部１３０ｂ（第二多重処理部）及びライン側送信処理部１４０（第二パラレル信号生成部）を備える。多重処理部１３０ｂは、多重化部１３１ｂ及びフレーミング部１３２を備える。多重化部１３１ｂは、図１に示す多重化部１３１と同様の機能を有する。さらに、多重化部１３１ｂは、ＮＮＩカード５４−ｓ１において障害が発生した光サブキャリアに対応したＯＤＵＣｎフレームの領域に割当てられているパスを、ＮＮＩカード５４−ｓ２の切替先の光サブキャリアに対応したＯＤＵＣｎフレームの領域に割当てる。多重化部１３１ｂは、ＯＴＮフレーマ５４１−ｓ１から、障害が発生した光サブキャリアに対応したＯＤＵＣｎフレームの領域に割当てられていたパスの信号を受信し、切替先の光サブキャリアに対応したＯＤＵＣｎフレームの領域に設定する。光ＳＣ送受信機５４２−ｓ２−１〜５４２−ｓ２−ｎは、送信機２２０を備える。
【００７２】
図１６は、光伝送装置５０が備えるＮＮＩカード５４の受信に関する機能ブロックを示す図である。同図に示す２つのＮＮＩカード５４は、図９に示すＮＮＩカード５４−ｒ１（第一光信号受信部）及びＮＮＩカード５４−ｒ２（第二光信号受信部）である。図１１に示すＮＮＩカード５４−ｒ３は、ＮＮＩカード５４−ｒ２と同様の構成である。同図において、図１に示すＯＴＮフレーマ８００及び図５に示す光伝送装置５０と同一の部分には同一の符号を付し、その説明を省略する。同図では、ｎ＝４の場合を例に示している。
【００７３】
ＮＮＩカード５４−ｒ１は、光ＳＣ送受信機５４２−ｒ１−１〜５４２−ｒ１−ｎ（第一光サブキャリア受信装置）及びＯＴＮフレーマ５４１−ｒ１（第一受信処理部）を備える。光ＳＣ送受信機５４２−ｒ１−１〜５４２−ｒ１−ｎは、受信機２３０を備える。なお、図１４に示すＮＮＩカード５４−ｒ４の場合、ＮＮＩカード５４−ｒ１においてｋ台の光ＳＣ送受信機５４２を備える構成である。ＯＴＮフレーマ５４１−ｒ１は、ライン側受信処理部１６０ａと分離処理部１７０を備える。ライン側受信処理部１６０ａは、マルチレーン受信部１６１−１〜１６１−ｎと、ＯＨ処理部１６２−１〜１６２−ｎと、デインタリーブ部１６３ａと、デスキュー部１６４ａを備える。デインタリーブ部１６３ａは、ＯＨ処理部１６２−１〜１６２−ｎから抽出されたＯＴＬＣｎ．ｎフレームのパラレル信号と、ＮＮＩカード５４−ｒ２から出力されたＯＴＬＣｎ．ｎフレームのパラレル信号とをデインタリーブして１つのＯＴＵＣｎフレームを生成する。デスキュー部１６４ａは、デインタリーブ部１６３ａがデインタリーブを行う前に、光ＳＣ送受信機５４２−ｒ１−１〜５４２−ｒ１−ｎが受信したパラレル信号に対して、遅延調整量通知部６３から通知された遅延調整量により光チャネル間の伝送遅延差を補償する。例えば、デスキュー部１６４ａは、マルチレーン受信部１６１−１〜１６１−４に入力されるパラレル信号に対して伝送遅延差を補償してもよく、ＯＨ処理部１６２−１〜１６２−４に入力されるパラレル信号に対して伝送遅延差を補償してもよく、デインタリーブ部１６３ａに入力されるパラレル信号に対して伝送遅延差を補償してもよい。
【００７４】
ＮＮＩカード５４−ｒ２は、光ＳＣ送受信機５４２−ｒ２−１〜５４２−ｒ２−ｎ（第二光サブキャリア受信装置）及びＯＴＮフレーマ５４１−ｒ２（第二受信処理部）を備える。光ＳＣ送受信機５４２−ｒ２−１〜５４２−ｒ２−ｎは、受信機２３０を備える。なお、図１４に示すＮＮＩカード５４−ｒ５の場合、ＮＮＩカード５４−ｒ２においてｋ台の光ＳＣ送受信機５４２を備える構成である。ＯＴＮフレーマ５４１−ｒ２は、ライン側受信処理部１６０ｂと分離処理部１７０を備える。ライン側受信処理部１６０ｂは、マルチレーン受信部１６１−１〜１６１−ｎと、ＯＨ処理部１６２−１〜１６２−ｎと、デインタリーブ部１６３ｂと、デスキュー部１６４ｂを備える。デインタリーブ部１６３ｂは、ＯＨ処理部１６２−１〜１６２−ｎから抽出されたＯＴＬＣｎ．ｎフレームのパラレル信号のうち、切替先の光サブキャリアにより受信したパラレル信号をＮＮＩカード５４−ｒ１に出力する。デインタリーブ部１６３ｂは、ＮＮＩカード５４−ｒ１に出力した残りのパラレル信号をデインタリーブして１つのＯＴＵＣｎフレームを生成する。デスキュー部１６４ｂは、切替先の光サブキャリアにより受信したパラレル信号をＮＮＩカード５４−ｒ１に出力する前に、遅延調整量通知部６３から通知された遅延調整量により光チャネル間の伝送遅延差を補償する。例えば、デスキュー部１６４ｂは、マルチレーン受信部１６１−１〜１６１−４に入力されるパラレル信号に対して伝送遅延差を補償してもよく、ＯＨ処理部１６２−１〜１６２−４に入力されるパラレル信号に対して伝送遅延差を補償してもよく、デインタリーブ部１６３ｂに入力されるパラレル信号に対して伝送遅延差を補償してもよい。
【００７５】
図１７は、送信側の光伝送装置５０が備えるトランスポンダ５６の送信に関する機能ブロックを示す図である。同図において、図１に示すＯＴＮフレーマ８００、図５に示す光伝送装置５０、及び、図１５に示す光伝送装置５０と同一の部分には同一の符号を付し、その説明を省略する。共用予備の光サブキャリアを使用しないトランスポンダ５６をトランスポンダ５６−ｓ１と記載し、共用予備の光サブキャリアを使用するトランスポンダ５６をトランスポンダ５６−ｓ２と記載する。トランスポンダ５６−ｓ１のＯＴＮフレーマ５６１は、クライアント信号受信部１２０、多重処理部１３０ａ、及びライン側送信処理部１４０を備える。トランスポンダ５６−ｓ２のＯＴＮフレーマ５６１は、クライアント信号受信部１２０、多重処理部１３０ｂ、及びライン側送信処理部１４０を備える。トランスポンダ５６−ｓ１及びトランスポンダ５６−ｓ２の光ＳＣ送受信機５６２は、送信機２２０を備える。
【００７６】
図１８は、受信側の光伝送装置５０が備えるトランスポンダ５６の受信に関する機能ブロックを示す図である。同図において、図１に示すＯＴＮフレーマ８００、図５に示す光伝送装置５０、及び、図１６に示す光伝送装置５０と同一の部分には同一の符号を付し、その説明を省略する。共用予備の光サブキャリアを使用しないトランスポンダ５６をトランスポンダ５６−ｒ１と記載し、共用予備の光サブキャリアを使用するトランスポンダ５６をトランスポンダ５６−ｒ２と記載する。トランスポンダ５６−ｒ１及びトランスポンダ５６−ｒ２の光ＳＣ送受信機５６２は、受信機２３０を備える。トランスポンダ５６−ｒ１のＯＴＮフレーマ５６１は、ライン側受信処理部１６０ａ、分離処理部１７０、及びクライアント信号送信部１８０を備える。トランスポンダ５６−ｒ２のＯＴＮフレーマ５６１は、ライン側受信処理部１６０ｂ、分離処理部１７０、及びクライアント信号送信部１８０を備える。
【００７７】
なお、光ＳＣ送受信機５４２や光ＳＣ送受信機５６４の変調方式が可変である場合、その変調方式により光サブキャリアの帯域が変わる。例えば、ＱＰＳＫ変調の場合、１光サブキャリアは１００Ｇであり、８ＱＡＭ変調の場合、１光サブキャリアは１５０Ｇであり、１６ＱＡＭ変調の場合、１光サブキャリアは２００Ｇとなる。そのため、物理的にｎ台の光ＳＣ送受信機５４２や光ＳＣ送受信機５６４を備えておき、それらの変調方式を変えることによりｋ台の光ＳＣ送受信機５４２や光ＳＣ送受信機５６４を備えるように動作させることができる。
【００７８】
図１９は、光サブキャリア障害時の送信側の光伝送装置５０の処理フローである。以下では、図７に示す通常運用状態において光チャネルｃｈ１の光サブキャリアλ１３に障害が発生した場合を例に説明する。
光伝送装置５０の障害検出部６２は、光サブキャリア（λ１３）の障害を検出する（ステップＳ１１０）。例えば、受信側の光伝送装置５０において、障害検出部６２が受信した光サブキャリア（λ１３）の障害を検出すると、送信側の光伝送装置５０に障害が発生した光サブキャリアの情報を通知する。光伝送装置５０の障害検出部６２は、通知を受信することにより、光サブキャリア（λ１３）の障害を検出する。通知は、制御信号送受信用のネットワークを使用してもよく、受信側の光伝送装置５０が送信側の光伝送装置５０に送信するパラレル信号のＯＨの空き領域を使用してもよい。障害検出部６２は、サブキャリア管理情報に設定されている光サブキャリア（λ１３）の運用状態を障害発生中に更新する。
【００７９】
障害検出部６２は、機器管理情報記憶部６１に記憶されているサブキャリア管理情報を参照し、切替先の光サブキャリアを選択する（ステップＳ１１５）。具体的には、障害検出部６２は、サブキャリア管理情報に共用予備であることが設定されている光サブキャリアのうち、運用状態情報に通常稼働中、または、停止中が設定されている光サブキャリアを１つ選択する。選択された切替先の光サブキャリアが光サブキャリア（λ２１）であったとする。障害検出部６２は、サブキャリア管理情報に設定されている光サブキャリア（λ２１）の運用状態を切替稼働中に更新する。
【００８０】
障害検出部６２は、機器管理情報記憶部６１に記憶されている構成情報を参照し、障害が発生した光サブキャリア（λ１３）を使用しているＳＣ送受信機５４２−ｓ１−３と、ＳＣ送受信機５４２−ｓ１−３を備えるＮＮＩカード５４−ｓ１を特定する。さらに、障害検出部６２は、構成情報を参照し、切替先の光サブキャリア（λ２１）を使用しているＳＣ送受信機５４２−ｓ２−１と、ＳＣ送受信機５４２−ｓ２−１を備えるＮＮＩカード５４−ｓ２を特定する。障害検出部６２は、ＮＮＩカード５４−ｓ１のＯＴＮフレーマ５４１−ｓ１とＮＮＩカード５４−ｓ２のＯＴＮフレーマ５４１−ｓ２に、障害が発生した光サブキャリア（λ１３）と、光サブキャリア（λ１３）を使用するＮＮＩカード５４−ｓ１と、切替先の光サブキャリア（λ２１）と、光サブキャリア（λ２１）を使用するＮＮＩカード５４−ｓ２とを通知する（ステップＳ１２０）。なお、障害検出部６２は、運用状態に切替先の光サブキャリア（λ２１）が停止中であることが設定されている場合、光ＳＣ送受信機５４２−ｓ２−１に起動を指示する。さらに、障害検出部６２は、障害が発生した光サブキャリア（λ１３）の情報と、切替先の光サブキャリア（λ２１）の情報と、切替タイミングの情報を受信側の光伝送装置５０に通知する（ステップＳ１２５）。通知は、制御信号送受信用のネットワークを使用してもよく、送信側の光伝送装置５０が受信側の光伝送装置５０に送信するパラレル信号のＯＨの空き領域を使用してもよい。
【００８１】
ＮＮＩカード５４−ｓ１が備えるＯＴＮフレーマ５４１−ｓ１の多重化部１３１ａは、障害が発生した光サブキャリア（λ１３）に対応したＯＴＬＣ４．４＃３の領域を含んでＯＤＵＣｎフレームのＴＳにマッピングされているクライアントＣのパスを特定する。多重化部１３１ａは、クライアントＣのパスが割当てられているＯＤＵＣ４フレームＦｓ１のＴＳのうち、割当先がＯＴＬＣ４．４＃３の領域のＴＳとなっている分を、切替先の光サブキャリア（λ２１）に対応した領域のＴＳを割当先にするよう変更する（ステップＳ１３０）。さらに、ＯＴＮフレーマ５４１−ｓ２の多重化部１３１ｂは、ＯＴＮフレーマ５４１−ｓ１の多重化部１３１ａからの通知を受け、クライアントＣのパスの割り当て先を、切替先の光サブキャリア（λ２１）に対応した領域のＴＳに割当てるよう変更する。光サブキャリア（λ２１）に対応した領域は、ＯＴＮフレーマ５４１−ｓ２が使用するＯＤＵＣ４フレームＦｓ２のＯＴＬＣ４．４＃１の領域である。このＴＳ割当ての変更により、障害が発生した光サブキャリア（λ１３）のトラヒックを、切替先の光サブキャリア（λ２１）に切替える。
【００８２】
ＴＳ割当ての変更後、切替タイミングになると、ＯＴＮフレーマ５４１−ｓ１の多重化部１３１ａは、クライアントＡのクライアント信号をＯＤＵＣ４フレームＦｓ１のＯＴＬＣ４．４＃４の領域に、クライアントＢのクライアント信号をＯＤＵＣ４フレームＦｓ１のＯＴＬＣ４．４＃１の領域にマッピングする。さらに、多重化部１３１ａは、クライアントＣのクライアント信号の１００Ｇ分をＯＤＵＣ４フレームＦｓ１のＯＴＬＣ４．４＃２の領域に、残りの１００Ｇ分のクライアント信号をＮＮＩカード５４−ｓ２が備えるＯＴＮフレーマ５４１−ｓ２に出力する。ＯＴＮフレーマ５４１−ｓ２の多重処理部１３０ｂは、ＯＴＮフレーマ５４１−ｓ１の多重化部１３１ａから受信したクライアントＣの１００Ｇ分のクライアント信号をＯＤＵＣ４フレームＦｓ２のＯＴＬＣ４．４＃１の領域にマッピングする。さらに、多重化部１３１ｂは、クライアントＤのクライアント信号をＯＤＵＣ４フレームＦｓ２のＯＴＬＣ４．４＃２の領域に、クライアントＥのクライアント信号をＯＤＵＣ４フレームＦｓ２のＯＴＬＣ４．４＃３及び＃４の領域にマッピングする。
【００８３】
ＯＴＮフレーマ５４１−ｓ１のフレーミング部１３２は、多重処理部１３０ａがクライアント信号を設定したＯＤＵＣ４フレームＦｓ１にＯＨとＦＥＣを付加してＯＴＵＣｎフレームを生成し、ライン側送信処理部１４０に出力する。ＯＴＮフレーマ５４１−ｓ１のライン側送信処理部１４０は、ＯＴＵＣｎフレームに基づいて生成したＯＴＵＣ４．４＃１〜＃４のパラレル信号をそれぞれ光ＳＣ送受信機５４２−ｓ１−１〜５４２−ｓ１−４に出力する。なお、ＯＴＵＣ４．４＃３の信号を出力しないようにしてもよい。
【００８４】
一方、ＯＴＮフレーマ５４１−ｓ２のフレーミング部１３２は、多重処理部１３０ｂがクライアント信号を設定したＯＤＵＣ４フレームＦｓ２にＯＨとＦＥＣを付加してＯＴＵＣｎフレームを生成し、ライン側送信処理部１４０に出力する。ＯＴＮフレーマ５４１−ｓ２のライン側送信処理部１４０は、ＯＴＵＣｎフレームに基づいて生成したＯＴＬＣ４．４＃１〜＃４のパラレル信号をそれぞれ、光ＳＣ送受信機５４２−ｓ２−１〜５４２−ｓ２−４に出力する。
【００８５】
上記により、ＮＮＩカード５４−ｓ１の光ＳＣ送受信機５４２−ｓ１−１、５４２−ｓ１−２及び５４２−ｓ１−４は、光チャネルｃｈ１の帯域において、波長λ１１、λ１２、λ１４の光サブキャリアによりパラレル信号を送信する。なお、光サブキャリア（λ１３）の障害が、光ＳＣ送受信機５４２−ｓ１−３の故障に起因しない場合、波長λ１３の光サブキャリアによりパラレル信号を送信してもよい。また、ＮＮＩカード５４−ｓ２の光ＳＣ送受信機５４２−ｓ２−１〜５４２−ｓ２−４は、光チャネルｃｈ２の帯域において波長λ２１〜λ２４の光サブキャリアによりパラレル信号をマルチキャリア伝送する。
【００８６】
図２０は、光サブキャリア障害時の受信側の光伝送装置５０の処理フローである。
受信側の光伝送装置５０の障害検出部６２は、図１９のステップＳ１２５において送信側の光伝送装置５０から障害が発生した光サブキャリアの情報と、切替先の光サブキャリアの情報と、切替タイミングの情報を受信する（ステップＳ２１０）。障害検出部６２は、機器管理情報記憶部６１に記憶されている構成情報を参照し、障害が発生した光サブキャリア（λ１３）を使用する光ＳＣ送受信機５４２−ｒ１−３と、光ＳＣ送受信機５４２−ｒ１−３を備えるＮＮＩカード５４−ｒ１を特定する。さらに、障害検出部６２は、構成情報を参照し、切替先の光サブキャリア（λ２１）を使用する光ＳＣ送受信機５４２−ｒ２−１と、光ＳＣ送受信機５４２−ｒ２−１を備えるＮＮＩカード５４−ｒ２を特定する。障害検出部６２は、サブキャリア管理情報に設定されている光サブキャリア（λ１３）の運用状態を障害発生中に更新し、光サブキャリア（λ２１）の運用状態を切替稼働中に更新する。障害検出部６２は、ＮＮＩカード５４−ｒ１のＯＴＮフレーマ５４１−ｒ１とＮＮＩカード５４−ｒ２のＯＴＮフレーマ５４１−ｒ２に、障害が発生した光サブキャリア（λ１３）と、光サブキャリア（λ１３）を使用するＮＮＩカード５４−ｒ１と、切替先の光サブキャリア（λ２１）と、光サブキャリア（λ２１）を使用するＮＮＩカード５４−ｒ２を通知する（ステップＳ２１５）。
【００８７】
受信側の光伝送装置５０の遅延調整量通知部６３は、障害が発生した光サブキャリア（λ１３）が含まれる光チャネルｃｈ１と、切替先の光サブキャリア（λ２１）が含まれる光チャネルｃｈ２との間の遅延時間差を補償するための遅延調整量を、ＯＴＮフレーマ５４１−ｒ１のデスキュー部１６４ａ及びＯＴＮフレーマ５４１−ｒ２のデスキュー部１６４ｂに通知する（ステップＳ２２０）。なお、遅延調整量通知部６３は、送信側の光伝送装置５０から通知を受けた後に切替タイミングまでの間に算出した遅延調整量を通知してもよく、定期的に算出している遅延調整量のうち最新のものを通知してもよい。
例えば、光チャネルｃｈ１よりも光チャネルｃｈ２のほうがｔ１だけ遅延している場合、デスキュー部１６４ａに遅延調整量ｔ１を、デスキュー部１６４ｂに遅延調整量０を通知する。また、例えば、光チャネルｃｈ２よりも光チャネルｃｈ１のほうがｔ２だけ遅延している場合、デスキュー部１６４ａに遅延調整量０を、デスキュー部１６４ｂに遅延調整量ｔ２を通知する。
【００８８】
切替タイミングになると、ＮＮＩカード５４−ｒ１及びＮＮＩカード５４−ｒ２は、光チャネルｃｈ１及びｃｈ２を跨って送信されたパラレル信号の遅延時間差を補償して受信処理を行う（ステップＳ２２５）。具体的には、以下の処理を行う。
ＮＮＩカード５４−ｒ１の光ＳＣ送受信機５４２−ｒ１−１、５４２−ｒ１−２及び５４２−ｒ１−４は、送信側の光伝送装置５０からマルチキャリア伝送された光チャネルｃｈ１の帯域の光信号を電気信号に変換し、ＯＴＮフレーマ５４１−ｒ１のマルチレーン受信部１６１−１、１６１−２及び１６１−４に出力する。マルチレーン受信部１６１−１、１６１−２及び１６１−４は、受信した電気信号をシリアル信号に変換し、ＯＨ処理部１６２−１、１６２−２及び１６２−４に出力する。ＯＨ処理部１６２−１、１６２−２及び１６２−４は、受信した電気信号からフレームの先頭を検出し、遅延時間差を補償してＯＴＬＣ４．４＃１、＃２及び＃４のパラレル信号を抽出してデインタリーブ部１６３ａに出力する。
【００８９】
一方、ＮＮＩカード５４−ｒ２の光ＳＣ送受信機５４２−ｒ２−１〜５４２−ｒ２−４は、送信側の光伝送装置５０からマルチキャリア伝送された光チャネルｃｈ２の帯域の光信号を電気信号に変換し、ＯＴＮフレーマ５４１−ｒ２のマルチレーン受信部１６１−１〜１６１−４に出力する。マルチレーン受信部１６１−１〜１６１−４は、受信した電気信号をシリアル信号に変換し、ＯＨ処理部１６２−１〜１６２−４に出力する。ＯＨ処理部１６２−１〜１６２−４は、受信した電気信号からフレームの先頭を検出し、遅延時間差を補償してＯＴＬＣ４．４＃１〜＃４のパラレル信号を抽出してデインタリーブ部１６３ｂに出力する。
【００９０】
ＮＮＩカード５４−ｒ１のデスキュー部１６４ａは、光チャネルｃｈ１により受信したＯＴＬＣ４．４＃１、＃２及び＃４のパラレル信号に、遅延調整量通知部６３から指示された遅延調整量を付加する。ＮＮＩカード５４−ｒ２のデスキュー部１６４ｂは光チャネルｃｈ２により受信したＯＴＬＣ４．４＃１〜＃４のパラレル信号ＯＴＬＣに、遅延調整量通知部６３から指示された遅延調整量を付加する。これにより、光チャネルｃｈ１及び光チャネルｃｈ２間の伝送遅延差を補償する。
【００９１】
デインタリーブ部１６３ｂは、ＯＴＬＣ４．４＃１のパラレル信号をＯＴＮフレーマ５４１−ｒ１に出力し、ＯＴＬＣ４．４＃２〜＃４のパラレル信号をデインタリーブしてＯＴＵＣ４フレームを生成する。デインタリーブ部１６３ｂは、ＯＴＵＣ４フレームの信号を分離処理部１７０に出力する。分離処理部１７０のデフレーミング部１７１は、ＯＴＵＣ４フレームの信号をＦＥＣ復号し、復号したＯＴＵＣｎフレームからＬＯ  ＯＤＵフレームが時間多重されたＯＤＵＣ４フレームを抽出する。逆多重化部１７２は、ＯＤＵＣ４フレームの信号から各クライアント信号が設定されたＬＯ  ＯＤＵフレームを抽出する。
【００９２】
ＯＴＮフレーマ５４１−ｒ１のデインタリーブ部１６３ａは、ＯＴＬＣ４．４＃１、＃２及び＃４のパラレル信号と、ＯＴＮフレーマ５４１−ｒ２から受信したパラレル信号をデインタリーブしてＯＴＵＣ４フレームを生成し、分離処理部１７０に出力する。デインタリーブ部１６３ｂは、ＯＴＵＣ４フレームの信号を分離処理部１７０に出力する。分離処理部１７０のデフレーミング部１７１は、ＯＴＵＣ４フレームの信号をＦＥＣ復号し、復号したＯＴＵＣｎフレームからＬＯ  ＯＤＵフレームが時間多重されたＯＤＵＣ４フレームを抽出する。逆多重化部１７２は、ＯＤＵＣ４フレームの信号から各クライアント信号が設定されたＬＯ  ＯＤＵフレームを抽出する。
【００９３】
なお、ＮＮＩカード５４−ｒ２のデスキュー部１６４ｂは、光チャネルｃｈ２により受信したＯＴＬＣ４．４＃１〜＃４のパラレル信号全てに遅延調整量を付加せずに、デインタリーブ部１６３ｂがＯＴＮフレーマ５４１−ｒ１に出力するパラレル信号に遅延調整量を付加してもよい。
また、光伝送装置５０の遅延調整量通知部６３は、全ての光チャネル間の伝送遅延差を補償するような遅延調整量を全てのＮＮＩカード５２及びトランスポンダ５６に通知することにより、常に、全ての光チャネル間の伝送遅延差を補償するように動作してもよい。
【００９４】
上記では、ＮＮＩカード５４が使用する光サブキャリアに障害が発生した場合を例に説明したが、トランスポンダ５６が使用する光サブキャリアに障害が発生した場合も同様の処理である。また、ＮＮＩカード５４が使用する光サブキャリアの切替先としてトランスポンダ５６が使用する光サブキャリアを使用してもよく、トランスポンダ５６が使用する光サブキャリアの切替先としてＮＮＩカード５４が使用する光サブキャリアを使用してもよい。
また、予め共用予備の光サブキャリアを定めず、対応するＯＤＵＣｎフレームの領域にクライアントのパスが割り当てられていない光サブキャリアを切替先として選択してもよい。
【００９５】
なお、上記では、光サブキャリアに障害が発生したときに複数のＮＮＩカード５４やトランスポンダ５６に跨って１つのＯＴＵＣｎ信号を送信しているが、通常状態においても複数のＮＮＩカード５４やトランスポンダ５６に跨って１つのＯＴＵＣｎ信号を送信することもできる。
【００９６】
図２１は、通常運用状態における送信側の光伝送装置５０におけるＯＤＵＣｎフレームへのパスのマッピングの例を示す図である。同図では、ｎ＝４であり、送信側の光伝送装置５０のＮＮＩカード５４が４台の光ＳＣ送受信機５４２を備える場合を示している。送信側の光伝送装置５０が備える２台のＮＮＩカード５４をそれぞれ、ＮＮＩカード５４−ｓ６、ＮＮＩカード５４−ｓ７と記載する。そして、ＮＮＩカード５４−ｓ６が備えるＯＴＮフレーマ５４１をＯＴＮフレーマ５４１−ｓ６と記載し、ＮＮＩカード５４−ｓ６が備えるｉ番目の光ＳＣ送受信機５４２を光ＳＣ送受信機５４２−ｓ６−ｉと記載する。また、ＮＮＩカード５４−ｓ７が備えるＯＴＮフレーマ５４１をＯＴＮフレーマ５４１−ｓ７と記載し、ＮＮＩカード５４−ｓ７が備えるｉ番目の光ＳＣ送受信機５４２をそれぞれ光ＳＣ送受信機５４２−ｓ７−ｉと記載する。光ＳＣ送受信機５４２−ｓ６−ｉは、光チャネルｃｈ６における波長λ６ｉの１００Ｇの光サブキャリアを使用し、光ＳＣ送受信機５４２−ｓ７−ｉは、光チャネルｃｈ７における波長λ７ｉの１００Ｇの光サブキャリアを使用する。ＯＴＮフレーマ５４１−ｓ６が使用するＯＤＵＣ４フレームをＯＤＵＣ４フレームＦｓ６と記載し、ＯＴＮフレーマ５４１−ｓ７が使用するＯＤＵＣ４フレームをＯＤＵＣ４フレームＦｓ７と記載する。
【００９７】
ＯＴＮフレーマ５４１−ｓ６において、クライアントＡの１０ＧのパスがＯＤＵＣ４フレームＦｓ６のＯＴＬＣ４．４＃４の領域に割当てられ、クライアントＢの１００ＧのパスがＯＤＵＣ４フレームＦｓ６のＯＴＬＣ４．４＃１の領域に割当てられ、クライアントＣの２００ＧのパスがＯＤＵＣ４フレームＦｓ６のＯＴＬＣ４．４＃２及び＃３の領域、及び、ＯＤＵＣ４フレームＦｓ７のＯＴＬＣ４．４＃１に割当てられている。また、ＯＴＮフレーマ５４１−ｓ７において、クライアントＤの１００ＧのパスがＯＤＵＣ４フレームＦｓ７のＯＴＬＣ４．４＃２の領域に割当てられ、クライアントＥの２００ＧのパスがＯＤＵＣ４フレームＦｓ７のＯＴＬＣ４．４＃３及び＃４の領域に割当てられている。
ＯＴＮフレーマ５４１−ｓ６の光ＳＣ送受信機５４２−ｓ６−１〜５４２−ｓ６−４は、光チャネルｃｈ６の帯域において波長λ６１〜λ６４の光サブキャリアにより、ＯＤＵＣ４フレームＦｓ６に設定されたクライアント信号から生成されたパラレル信号をマルチキャリア伝送する。ＯＴＮフレーマ５４１−ｓ７の光ＳＣ送受信機５４２−ｓ７−１〜５４２−ｓ７−４は、光チャネルｃｈ７の帯域において波長λ７１〜λ７４の光サブキャリアにより、ＯＤＵＣ４フレームＦｓ７に設定されたクライアント信号から生成されたパラレル信号をマルチキャリア伝送する。
【００９８】
図２２は、図２１に示すマッピングの結果送信されたパラレル信号の受信側の光伝送装置における受信処理を示す図である。同図では、受信側の光伝送装置５０が備えるＮＮＩカードのうち、光チャネルｃｈ６の光信号を受信するＮＮＩカード５４をＮＮＩカード５４−ｒ６と記載し、光チャネルｃｈ７の光信号を受信するＮＮＩカード５４をＮＮＩカード５４−ｒ７と記載する。ＮＮＩカード５４−ｒ６が備えるＯＴＮフレーマ５４１をＯＴＮフレーマ５４１−ｒ６と記載し、ＮＮＩカード５４−ｒ６が備えるｉ番目の光ＳＣ送受信機５４２を光ＳＣ送受信機５４２−ｒ６−ｉと記載する。また、ＮＮＩカード５４−ｒ７が備えるＯＴＮフレーマ５４１をＯＴＮフレーマ５４１−ｒ７と記載し、ＮＮＩカード５４−ｒ７が備えるｉ番目の光ＳＣ送受信機５４２を光ＳＣ送受信機５４２−ｒ７−ｉと記載する。光ＳＣ送受信機５４２−ｒ６−ｉは、光チャネルｃｈ６における波長λ６ｉの１００Ｇの光サブキャリアを受信し、光ＳＣ送受信機５４２−ｒ７−ｉは、光チャネルｃｈ７における波長λ７ｉの１００Ｇの光サブキャリアを受信する。ＮＮＩカード５４−ｒ６が使用するＯＤＵＣｎフレームは、ＯＤＵＣ５フレームであり、ＮＮＩカード５４−ｒ７が使用するＯＤＵＣｎフレームは、ＯＤＵＣ３フレーム（ＯＤＵＣ４フレームでもよい）ある。
【００９９】
ＮＮＩカード５４−ｒ６の光ＳＣ送受信機５４２−ｒ６−１〜５４２−ｒ６−４は、送信側の光伝送装置５０からマルチキャリア伝送された光チャネルｃｈ６の帯域の光信号を電気信号に変換し、ＯＴＮフレーマ５４１−ｒ６に出力する。ＯＴＮフレーマ５４１−ｒ６は、受信した信号からＯＴＬＣ４．４＃１〜＃４のフレームの先頭を検出し、検出したフレームの先頭位置に基づいて遅延時間差を補償してＯＴＬＣ４．４＃１〜＃４のパラレル信号を抽出する。
【０１００】
一方、ＮＮＩカード５４−ｒ７の光ＳＣ送受信機５４２−ｒ７−１〜５４２−ｒ７−４は、送信側の光伝送装置５０からマルチキャリア伝送された光チャネルｃｈ７の帯域の光信号を電気信号に変換し、ＯＴＮフレーマ５４１−ｒ７に出力する。ＯＴＮフレーマ５４１−ｒ７は、受信した信号からＯＴＬＣ４．４＃１〜＃４のフレームの先頭を検出し、検出したフレームの先頭位置に基づいて遅延時間差を補償してＯＴＬＣ４．４＃１〜＃４のパラレル信号を抽出する。
【０１０１】
受信側の光伝送装置５０の遅延調整量通知部６３は、光チャネルｃｈ６と光チャネルｃｈ７の伝送遅延差を補償するための遅延調整量をＮＮＩカード５４−ｒ６及びＮＮＩカード５４−ｒ７に通知している。ＮＮＩカード５４−ｒ６は、光チャネルｃｈ６により受信したＯＴＬＣ４．４＃１〜＃４のパラレル信号に遅延調整量通知部６３から指示された遅延調整量を付加し、ＮＮＩカード５４−ｒ７は光チャネルｃｈ７により受信したＯＴＬＣ４．４＃１〜＃４のパラレル信号（あるいはＯＴＬＣ４．４＃１のパラレル信号）に、遅延調整量通知部６３から指示された遅延調整量を付加する。これにより、光チャネルｃｈ７及び光チャネルｃｈ８間の伝送遅延差を補償する。ＯＴＮフレーマ５４１−ｒ７は、切替先の光サブキャリア（λ２１）により伝送されたＯＴＬＣ４．４＃１のパラレル信号をＮＮＩカード５４−ｒ６に出力する。
【０１０２】
ＮＮＩカード５４−ｒ６は、ＯＴＬＣ４．４＃１〜＃４のパラレル信号、及び、ＮＮＩカード５４−ｒ７から受信したパラレル信号をデインタリーブして１つのＯＴＵＣ５フレームの信号を生成する。ＮＮＩカード５４−ｒ６は、生成したＯＴＵＣ５フレームの信号からＯＤＵＣ５フレームＦｒ６を抽出し、抽出したＯＤＵＣ５フレームＦｒ６からクライアントＡ、Ｂ、Ｃのクライアント信号を抽出する。一方、ＮＮＩカード５４−ｒ７は、ＯＴＬＣ４．４＃２〜＃４のパラレル信号をデインタリーブして１つのＯＴＵＣ３フレームの信号を生成する。ＮＮＩカード５４−ｒ７は、生成したＯＴＵＣ３フレームの信号からＯＤＵＣ４フレームＦｒ７を抽出し、抽出したＯＤＵＣ３フレームＦｒ７からクライアントＤ、Ｅのクライアント信号を抽出する。
上記によれば、２台のＮＮＩカード５４を合わせて、ＯＴＵＣ５とＯＴＵＣ３の伝送組み合わせが可能となる。
【０１０３】
なお、本実施形態では、１光チャネルがｎ×１００Ｇ、パラレル信号が１００Ｇの場合を例に説明したが、１光チャネルの帯域や、パラレル信号の帯域は任意とすることができる。
【０１０４】
以上説明した実施形態によれば、受信側の光伝送装置は、ＮＮＩカード又はトランスポンダである光信号送信部を複数備え、送信側の光伝送装置は、ＮＮＩカード又はトランスポンダである光信号受信部を複数備える。受信側の光伝送装置において、光信号送信部は、１以上のクライアントから受信したクライアント信号の一部を、他の光信号送信部に出力し、出力した一部を除くクライアント信号に基づいてパラレル信号を生成して１光チャネルによりマルチキャリア伝送する。また、クライアント信号出力先の光信号送信部は、他の光信号送信部から受信したクライアント信号に基づいてパラレル信号を生成し、自装置が受信したＬＯ  ＯＤＵのクライアント信号から生成したパラレル信号とともに１光チャネルによりマルチキャリア伝送する。
受信側の光伝送装置は、光チャネル間遅延補償部によって異なる光チャネルの伝送遅延差を吸収することにより、光チャネルをまたいで受信したマルチキャリア信号からＯＴＵＣｎ信号を復元してクライアント信号を抽出する。なお、光チャネル間遅延補償部は、遅延調整量通知部６３、デスキュー部１６４ａ、及び、デスキュー部１６４ｂにより実現される。
【０１０５】
上述したように、本実施形態では、一つのＯＴＵＣｎ信号から生成されたマルチキャリア信号が、複数のＮＮＩカードやトランスポンダを跨いで異なる光チャネルによって送信される場合に、受信側の光伝送装置において、それら光チャネル間の遅延差を吸収する機能を有する。従って、異なる光周波数の光チャネルを用いる複数のＮＮＩカードやトランスポンダを跨いで１つのＯＴＵＣｎ信号の送信及び受信を行うことができるため、光サブキャリアに対して予備共用度の高いプロテクションが実現できるとともに、ＯＤＵパスを効率的に光サブキャリアへ収容することが可能となる。
【０１０６】
上述した実施形態におけるＯＴＮフレーマ５２１、ＯＴＮフレーマ５４１、及び監視制御部６０の一部または全ての機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１０７】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１０８】
大容量光伝送に利用可能である。
【符号の説明】
【０１０９】
５０  光伝送装置
５１  ＯＤＵクロスコネクト機能部
５２  ＵＮＩカード
５３  ＯＤＵ−ＸＣ
５４、５４−ｓ１、５４−ｓ２、５４−ｓ３、５４−ｓ４、５４−ｓ５、５４−ｓ６、５４−ｓ７、５４−ｒ１、５４−ｒ２、５４−ｒ３、５４−ｒ４、５４−ｒ５、５４−ｒ６、５４−ｒ７  ＮＮＩカード
５５  光伝送機能部
５６、５６−ｓ１、５６−ｓ２、５６−ｒ１、５６−ｒ２  トランスポンダ
５７  合分波器
５８  波長ＸＣ
５９  光ＡＭＰ
６０  監視制御部
６１  機器管理情報記憶部
６２  障害検出部
６３  遅延調整量通知部
１１０  送信処理部
１２０  クライアント信号受信部
１２１  受信部
１２２  マッピング部
１２３  ＯＨ処理部
１３０、１３０ａ、１３０ｂ  多重処理部
１３１、１３１ａ、１３１ｂ  多重化部
１３２  フレーミング部
１４０  ライン側送信処理部
１４１  インタリーブ部
１４２−１、１４２−２、１４２−３、１４２−４  ＯＨ処理部
１４３−１、１４３−２、１４３−３、１４３−４  マルチレーン送信部
１５０  受信処理部
１６０、１６０ａ、１６０ｂ  ライン側受信処理部
１６１−１、１６１−２、１６１−３、１６１−４  マルチレーン受信部
１６２−１、１６２−２、１６２−３、１６２−４  ＯＨ処理部
１６３、１６３ａ、１６３ｂ  デインタリーブ部
１６４ａ、１６４ｂ  デスキュー部
１７０  分離処理部
１７１  デフレーミング部
１７２  逆多重化部
１８０  クライアント信号送信部
１８１  ＯＨ処理部
１８２  デマッピング部
１８３  送信部
２１０  ＯＤＵ−ＳＷ
２２０  送信機
２３０  受信機
５２１  ＯＴＮフレーマ
５４１、５４１−ｓ１、５４１−ｓ２、５４１−ｓ３、５４１−ｓ４、５４１−ｓ５、５４１−ｓ６、５４１−ｓ７、５４１−ｒ１、５４１−ｒ２、５４１−ｒ３、５４１−ｒ４、５４１−ｒ５、５４１−ｒ６、５４１−ｒ７  ＯＴＮフレーマ
５４２、５４２−ｓ１−１〜５４２−ｓ１−４、５４２−ｓ２−１〜５４２−ｓ２−４、５４２−ｓ３−１〜５４２−ｓ３−４、５４２−ｓ４−１、５４２−ｓ４−２、５４２−ｓ５−１、５４２−ｓ５−２、５４２−ｓ６−１〜５４２−ｓ６−４、５４２−ｓ７−１〜５４２−ｓ７−４、５４２−ｒ１−１〜５４２−ｒ１−４、５４２−ｒ２−１〜５４２−ｒ２−４、５４２−ｒ３−１〜５４２−ｒ３−４、５４２−ｒ４−１、５４２−ｒ４−２、５４２−ｒ５−１、５４２−ｒ５−２、５４２−ｒ６−１〜５４２−ｒ６−４、５４２−ｒ７−１〜５４２−ｒ７−４  光ＳＣ送受信機
５６１  ＯＴＮフレーマ
５６２  光ＳＣ送受信機
８００  ＯＴＮフレーマ
【図１】
2016103766.tif 000003
【図２】
2016103766.tif 000004
【図３】
2016103766.tif 000005
【図４】
2016103766.tif 000006
【図５】
2016103766.tif 000007
【図６】
2016103766.tif 000008
【図７】
2016103766.tif 000009
【図８】
2016103766.tif 000010
【図９】
2016103766.tif 000011
【図１０】
2016103766.tif 000012
【図１１】
2016103766.tif 000013
【図１２】
2016103766.tif 000014
【図１３】
2016103766.tif 000015
【図１４】
2016103766.tif 000016
【図１５】
2016103766.tif 000017
【図１６】
2016103766.tif 000018
【図１７】
2016103766.tif 000019
【図１８】
2016103766.tif 000020
【図１９】
2016103766.tif 000021
【図２０】
2016103766.tif 000022
【図２１】
2016103766.tif 000023
【図２２】
2016103766.tif 000024